(57)【要約】  本願は、端末デバイスに対する周波数領域リソース割り当て及び/又は帯域幅部分構成を、同期信号ブロックと組み合わせて柔軟に行うことにより、通信システムの性能を向上させる無線通信方法及びデバイスを提供する。当該方法は、ネットワークデバイスが端末デバイスにより送信された第１のメッセージを受信することと、前記第１の同期信号ブロックに基づいて、前記ネットワークデバイスが前記端末デバイスに対して周波数領域リソース割り当て及び／又は帯域幅部分構成を行うこととを含み、前記第１のメッセージは、前記端末デバイスが第１の同期信号ブロックを検出したことを示す。
2020524939.tif 000002
【特許請求の範囲】
【請求項１】
ネットワークデバイスが端末デバイスにより送信された第１のメッセージを受信することと、
第１の同期信号ブロックに基づいて、前記ネットワークデバイスが前記端末デバイスに対して周波数領域リソース割り当て及び／又は帯域幅部分構成を行うこととを含み、
前記第１のメッセージは、前記端末デバイスが前記第１の同期信号ブロックを検出したことを指示する
ことを特徴とする無線通信方法。
【請求項２】
前記第１の同期信号ブロックに基づいて、前記ネットワークデバイスが前記端末デバイスに対して周波数領域リソース割り当て及び／又は帯域幅部分構成を行うことは、
前記第１の同期信号ブロックが占用する周波数ポイントに基づいて、前記ネットワークデバイスが前記端末デバイスに対して周波数領域リソース割り当て及び／又は帯域幅部分構成を行うことを含む
ことを特徴とする請求項１に記載の無線通信方法。
【請求項３】
前記第１の同期信号ブロックが占用する周波数ポイントに基づいて、前記ネットワークデバイスが前記端末デバイスに対して周波数領域リソース割り当て及び／又は帯域幅部分構成を行うことは、
前記第１の同期信号ブロックが占用する周波数ポイントに基づいて、参照ポイントを確定することと、
前記参照ポイントに従って、前記ネットワークデバイスが前記端末デバイスに対して周波数領域リソース割り当て及び／又は帯域幅部分構成を行うこととを含む
ことを特徴とする請求項２に記載の無線通信方法。
【請求項４】
前記方法は、さらに、
前記ネットワークデバイスが前記端末デバイスに第１の情報を送信することを含み、
前記第１の情報は、前記ネットワークデバイスが前記端末デバイスに対して周波数領域リソース割り当て及び／又は帯域幅部分構成を行う参照ポイントを示す
ことを特徴とする請求項３に記載の無線通信方法。
【請求項５】
前記第１の情報は、ランダムアクセス応答メッセージ又は無線リソース制御ＲＲＣ専用シグナリングに搬送される
ことを特徴とする請求項４に記載の無線通信方法。
【請求項６】
前記第１の同期信号ブロックが占用する周波数ポイントに基づいて、参照ポイントを確定することは、
前記第１の同期信号ブロックが占用する周波数ポイントを、前記参照ポイントとして確定することを含む
ことを特徴とする請求項３〜５のいずれか１項に記載の無線通信方法。
【請求項７】
前記第１の同期信号ブロックが占用する周波数ポイントに基づいて、参照ポイントを確定することは、
前記第１の同期信号ブロックが占用する周波数ポイントに基づいて、第２の同期信号ブロックを確定することと、
前記第２の同期信号ブロックが占用する周波数ポイントに基づいて、前記参照ポイントを確定することとを含む
ことを特徴とする請求項３〜５のいずれか１項に記載の無線通信方法。
【請求項８】
前記第２の同期信号ブロックが占用する周波数ポイントに基づいて、前記参照ポイントを確定することは、
前記第２の同期信号ブロックが占用する周波数ポイントを、前記参照ポイントとして確定することを含む
ことを特徴とする請求項７に記載の無線通信方法。
【請求項９】
前記方法は、さらに、
前記ネットワークデバイスが第２の情報を送信することを含み、
前記第２の情報は、複数の同期信号ブロックの間の周波数領域関係を示し、前記複数の同期信号ブロックは、第１の同期信号ブロックと前記第２の同期信号ブロックを含む
ことを特徴とする請求項８に記載の無線通信方法。
【請求項１０】
前記第１の同期信号ブロックが占用する周波数ポイントに基づいて、第２の同期信号ブロックを確定することは、
前記第１の同期信号ブロックが占用する周波数ポイントと前記端末デバイスに割り当てる周波数領域リソースとの間隔が所定値の以上である場合、前記第２の同期信号ブロックを確定することを含む
ことを特徴とする請求項７〜９のいずれか１項に記載の無線通信方法。
【請求項１１】
前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである
ことを特徴とする請求項３又は７に記載の無線通信方法。
【請求項１２】
前記第２の参照ポイントは、構成された帯域幅部分の最も近い同期信号ブロックが占用する周波数ポイントである
ことを特徴とする請求項１１に記載の無線通信方法。
【請求項１３】
前記第１の参照ポイントは、前記第１の同期信号ブロックが占用する周波数ポイントである
ことを特徴とする請求項１１又は１２に記載の無線通信方法。
【請求項１４】
前記第１の参照ポイントは、前記第２の同期信号ブロックが占用する周波数ポイントである
ことを特徴とする請求項１１又は１２に記載の無線通信方法。
【請求項１５】
前記第１の参照ポイントと前記第２の参照ポイントとは、同じ参照ポイントであり、又は、
前記第１の参照ポイントと前記第２の参照ポイントとは、異なる参照ポイントである
ことを特徴とする請求項１１〜１４のいずれか１項に記載の無線通信方法。
【請求項１６】
前記参照ポイントに従って、前記ネットワークデバイスが前記端末デバイスに対して周波数領域リソース割り当て及び／又は帯域幅部分構成を行うことは、
前記ネットワークデバイスが前記端末デバイスに第３の情報を送信することを含み、
前記第３の情報は、割り当てるリソースサイズ及び／又は前記参照ポイントに対するオフセット、及び／又は、構成される帯域幅部分の数及び／又は前記参照ポイントに対するオフセットを示す
ことを特徴とする請求項３〜１５のいずれか１項に記載の無線通信方法。
【請求項１７】
前記方法は、さらに、
第３の参照ポイントに従って、前記ネットワークデバイスが前記端末デバイスに参照信号を送信することを含む
ことを特徴とする請求項１〜１６のいずれか１項に記載の無線通信方法。
【請求項１８】
前記方法は、
前記ネットワークデバイスが前記端末デバイスに第４の情報を送信することをさらに含み、
前記第４の情報は、前記端末デバイスが参照信号を送信する前記第３の参照ポイントを示す
ことを特徴とする請求項１７に記載の無線通信方法。
【請求項１９】
前記第１のメッセージには前記第１の同期信号ブロックのインデックスが含まれる
ことを特徴とする請求項１〜１８のいずれか１項に記載の無線通信方法。
【請求項２０】
前記第１のメッセージが占用するリソースを介して前記第１の同期信号ブロックを前記ネットワークデバイスに指示する
ことを特徴とする請求項１〜１９のいずれか１項に記載の無線通信方法。
【請求項２１】
前記方法は、さらに、
前記ネットワークデバイスが前記端末デバイスに第５の情報を送信することを含み、前記第５の情報は、複数の前記第１のメッセージが占用するリソースと複数の同期信号ブロックとの対応関係を示す
ことを特徴とする請求項２０に記載の無線通信方法。
【請求項２２】
前記第１のメッセージは、ランダムアクセス手順のメッセージである
ことを特徴とする請求項２０又は２１に記載の無線通信方法。
【請求項２３】
前記第１のメッセージがランダムアクセス要求メッセージであり、前記第１のメッセージは、それに含まれるランダムアクセスプリアンブルを介して前記第１の同期信号ブロックを前記ネットワークデバイスに指示する
ことを特徴とする請求項１〜１９のいずれか１項に記載の無線通信方法。
【請求項２４】
前記方法は、さらに、
前記ネットワークデバイスが前記端末デバイスに第６の情報を送信することを含み、前記第６の情報は、複数のプリアンブルアクセスコードと複数の同期信号ブロックとの対応関係を示す
ことを特徴とする請求項２３に記載の無線通信方法。
【請求項２５】
前記第１の同期信号ブロックに基づいて、前記ネットワークデバイスが前記端末デバイスに対して周波数領域リソース構成を行うことは、
前記第１の同期信号ブロックに基づいて、前記端末デバイスの能力情報及び／又はネットワークの現在サービス状況を参照し、前記端末デバイスに対して周波数領域リソース割り当て及び／又は帯域幅部分構成を行うことを含む
ことを特徴とする請求項１〜２４のいずれか１項に記載の無線通信方法。
【請求項２６】
端末デバイスがネットワークデバイスに第１のメッセージを送信することと、
第１の同期信号ブロックに基づいて、前記端末デバイスが、前記ネットワークデバイスが前記端末デバイスに対して行う周波数領域リソース割り当て及び／又は帯域幅部分構成を確定することとを含み、
前記第１のメッセージは、前記端末デバイスが前記第１の同期信号ブロックを検出したことを示す
ことを特徴とする無線通信方法。
【請求項２７】
前記第１の同期信号ブロックに基づいて、前記端末デバイスが、前記ネットワークデバイスが前記端末デバイスに対して行う周波数領域リソース割り当て及び／又は帯域幅部分構成を確定することは、
前記第１の同期信号ブロックが占用する周波数ポイントに基づいて、前記端末デバイスが、前記ネットワークデバイスが前記端末デバイスに対して行う周波数領域リソース割り当て及び／又は帯域幅部分構成を確定することを含む
ことを特徴とする請求項２６に記載の無線通信方法。
【請求項２８】
前記第１の同期信号ブロックが占用する周波数ポイントに基づいて、前記端末デバイスが、前記ネットワークデバイスが前記端末デバイスに対して行う周波数領域リソース割り当て及び／又は帯域幅部分構成を確定することは、
前記第１の同期信号ブロックが占用する周波数ポイントに基づいて、前記ネットワークデバイスが前記端末デバイスに対して行う周波数領域リソース割り当て及び／又は帯域幅部分構成の参照ポイントを確定することと、
前記参照ポイントに基づいて、前記端末デバイスが、前記ネットワークデバイスが前記端末デバイスに対して行う周波数領域リソース割り当て及び／又は帯域幅部分構成を確定することとを含む
ことを特徴とする請求項２７に記載の無線通信方法。
【請求項２９】
前記第１の同期信号ブロックが占用する周波数ポイントに基づいて、前記ネットワークデバイスが前記端末デバイスに対して行う周波数領域リソース割り当て及び／又は帯域幅部分構成の参照ポイントを確定することは、
前記第１の同期信号ブロックが占用する周波数ポイントを、前記参照ポイントとして確定することを含む
ことを特徴とする請求項２８に記載の無線通信方法。
【請求項３０】
前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである
ことを特徴とする請求項２８に記載の無線通信方法。
【請求項３１】
前記第１の参照ポイントは、前記第１の同期信号ブロックが占用する周波数ポイントである
ことを特徴とする請求項３０に記載の無線通信方法。
【請求項３２】
前記第２の参照ポイントは、構成された帯域幅部分の最も近い同期信号ブロックが占用する周波数ポイントである
ことを特徴とする請求項３０に記載の無線通信方法。
【請求項３３】
前記第１の参照ポイントと前記第２の参照ポイントとは、同じ参照ポイントであり、又は、
前記第１の参照ポイントと前記第２の参照ポイントとは、異なる参照ポイントである
ことを特徴とする請求項３０〜３２のいずれか１項に記載の無線通信方法。
【請求項３４】
前記方法は、さらに、
前記ネットワークデバイスが前記端末デバイスにより送信された第１の情報を受信することを含み、
前記第１の情報は、割り当てるリソースサイズ及び／又は前記参照ポイントに対するオフセット、及び／又は、構成される帯域幅部分の数及び／又は前記参照ポイントに対するオフセットを示し、
前記参照ポイントに基づいて、前記端末デバイスが、前記ネットワークデバイスが前記端末デバイスに対して行う周波数領域リソース割り当て及び／又は帯域幅部分構成を確定することは、
前記第１の情報、及び前記参照ポイントに基づいて、前記端末デバイスが、前記ネットワークデバイスが前記端末デバイスに対して行う周波数領域リソース割り当て及び／又は帯域幅部分構成を確定することを含む
ことを特徴とする請求項２８〜３３のいずれか１項に記載の無線通信方法。
【請求項３５】
前記方法は、さらに、
前記ネットワークデバイスが参照信号を送信する第３の参照ポイント、及び構成される帯域幅部分に基づいて、前記帯域幅部分に対応する参照信号部分を確定することを含む
ことを特徴とする請求項２６〜３４のいずれか１項に記載の無線通信方法。
【請求項３６】
前記方法は、
前記端末デバイスが前記ネットワークデバイスにより送信された第２の情報を受信することを含み、前記第２の情報は、前記第３の参照ポイントを示す
ことを特徴とする請求項３５に記載の無線通信方法。
【請求項３７】
前記第１のメッセージには前記第１の同期信号ブロックのインデックスが含まれる
ことを特徴とする請求項２６〜３６のいずれか１項に記載の無線通信方法。
【請求項３８】
前記第１のメッセージが占用するリソースを介して前記第１の同期信号ブロックを前記ネットワークデバイスに指示する
ことを特徴とする請求項２６〜３６のいずれか１項に記載の無線通信方法。
【請求項３９】
前記方法は、さらに、
前記端末デバイスが前記ネットワークデバイスにより送信された第３の情報を受信することを含み、前記第３の情報は、複数の前記第１のメッセージが占用するリソースと複数の同期信号ブロックとの対応関係を示し、
前記端末デバイスがネットワークデバイスに第１のメッセージを送信することは、
前記第３の情報が示す前記対応関係に基づいて、前記第１のメッセージを送信するリソースを確定することと、
確定された前記リソースにおいて、前記第１のメッセージを送信することとを含む
ことを特徴とする請求項３８に記載の無線通信方法。
【請求項４０】
前記第１のメッセージは、ランダムアクセス手順のメッセージである
ことを特徴とする請求項３８又は３９に記載の無線通信方法。
【請求項４１】
前記第１のメッセージがランダムアクセス要求メッセージであり、前記第１のメッセージは、それに含まれるランダムアクセスプリアンブルを介して前記第１の同期信号ブロックを前記ネットワークデバイスに指示する
ことを特徴とする請求項２６〜４０のいずれか１項に記載の無線通信方法。
【請求項４２】
前記方法は、さらに、
前記端末デバイスが前記ネットワークデバイスにより送信された第４の情報を受信することを含み、前記第４の情報は、複数のプリアンブルアクセスコードと複数の同期信号ブロックとの対応関係を示し、
前記端末デバイスがネットワークデバイスに第１のメッセージを送信することは、
前記第１の同期信号ブロック、及び前記第４の情報が示す対応関係に基づいて、ランダムアクセスプリアンブルを確定することと、
前記ランダムアクセスプリアンブルが含まれる前記第１のメッセージを送信することとを含む
ことを特徴とする請求項４１に記載の無線通信方法。
【請求項４３】
ネットワークデバイスが第１の情報を送信することと、
参照ポイントに従って、前記ネットワークデバイスが端末デバイスに対して周波数領域リソース割り当て及び／又は帯域幅部分構成を行うこととを含み
前記第１の情報は、前記ネットワークデバイスが端末デバイスに対して周波数領域リソース割り当て及び／又は帯域幅部分構成を行う前記参照ポイントを示す
ことを特徴とする無線通信方法。
【請求項４４】
前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである
ことを特徴とする請求項４３に記載の無線通信方法。
【請求項４５】
前記第１の情報は、前記第１の参照ポイント及び前記第２の参照ポイントを示す
ことを特徴とする請求項４４に記載の無線通信方法。
【請求項４６】
前記第１の情報が第１の参照ポイントを示し、
前記参照ポイントに従って、前記ネットワークデバイスが前記端末デバイスに対して周波数領域リソース割り当て及び／又は帯域幅部分構成を行うことは、
前記第１の参照ポイントに基づいて、帯域幅部分構成を行うことと、
構成された帯域幅部分に基づいて、第２の参照ポイントを確定することと、
前記第２の参照ポイントに従って、周波数領域リソース割り当てを行うこととを含む
ことを特徴とする請求項４４に記載の無線通信方法。
【請求項４７】
前記第２の参照ポイントは、構成された帯域幅部分の最も近い同期信号ブロックが占用する周波数ポイントである
ことを特徴とする請求項４４〜４６のいずれか１項に記載の無線通信方法。
【請求項４８】
前記第１の参照ポイントと前記第２の参照ポイントとは、同じ参照ポイントであり、又は、
前記第１の参照ポイントと前記第２の参照ポイントとは、異なる参照ポイントである
ことを特徴とする請求項４４〜４７のいずれか１項に記載の無線通信方法。
【請求項４９】
前記方法は、さらに、
第３の参照ポイントに従って、前記ネットワークデバイスが前記端末デバイスに参照信号を送信することを含む
ことを特徴とする請求項４４〜４８のいずれか１項に記載の無線通信方法。
【請求項５０】
前記方法は、
前記ネットワークデバイスが前記端末デバイスに第２の情報を送信することを含み、前記第２の情報は、前記端末デバイスが参照信号を送信する参照ポイントを示す
ことを特徴とする請求項４９に記載の無線通信方法。
【請求項５１】
前記第２の情報は、システム放送メッセージ、ランダムアクセス応答メッセージ又はＲＲＣ専用シグナリングに搬送される
ことを特徴とする請求項５０に記載の無線通信方法。
【請求項５２】
１つの前記参照ポイントは、複数の同期信号ブロックの１つの同期信号ブロックが占用する周波数ポイントである
ことを特徴とする請求項４３〜５１のいずれか１項に記載の無線通信方法。
【請求項５３】
前記第１の情報は、システム放送メッセージ、ランダムアクセス応答メッセージ又はＲＲＣ専用シグナリングに搬送される
ことを特徴とする請求項４３〜５２のいずれか１項に記載の無線通信方法。
【請求項５４】
前記ネットワークデバイスが前記端末デバイスに対して周波数領域リソース割り当て及び／又は帯域幅部分構成を行うことは、
前記参照ポイントに従って、前記端末デバイスの能力情報及び／又はネットワークの現在サービス状況を参照し、前記端末デバイスに対して周波数領域リソース割り当て及び／又は帯域幅部分構成を行うことを含む
ことを特徴とする請求項４３〜５３のいずれか１項に記載の無線通信方法。
【請求項５５】
構成される前記周波数領域リソース及び／又は帯域幅部分は、前記端末デバイスにページングメッセージを送信するために使用される
ことを特徴とする請求項４３〜５４のいずれか１項に記載の無線通信方法。
【請求項５６】
端末デバイスがネットワークデバイスにより送信された第１の情報を受信することと、
参照ポイントに従って、前記端末デバイスが、前記ネットワークデバイスが前記端末デバイスに対して周波数領域リソース割り当て及び/又は帯域幅部分構成を行う参照ポイントを確定することとを含み、
前記第１の情報は、前記ネットワークデバイスが前記端末デバイスに対して周波数領域リソース割り当て及び/又は帯域幅部分構成を行う前記参照ポイントを示す
ことを特徴とする無線通信方法。
【請求項５７】
前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである
ことを特徴とする請求項５６に記載の無線通信方法。
【請求項５８】
前記第１の情報は、前記第１の参照ポイント及び前記第２の参照ポイントを示す
ことを特徴とする請求項５７に記載の無線通信方法。
【請求項５９】
前記第１の情報が前記第１の参照ポイントを示し、
前記参照ポイントに従って、前記端末デバイスが、前記ネットワークデバイスが前記端末デバイスに対して行う周波数領域リソース割り当て及び/又は帯域幅部分構成の参照ポイントを確定することは、
前記第１の参照ポイントに基づいて、前記ネットワークデバイスが前記端末デバイスに対して行う帯域幅部分構成を確定することと、
構成された帯域幅部分に基づいて、第２の参照ポイントを確定することと、
前記第２の参照ポイントに従って、前記ネットワークデバイスが前記端末デバイスに対して行う周波数領域リソース割り当てを確定することとを含む
ことを特徴とする請求項５７に記載の無線通信方法。
【請求項６０】
前記第２の参照ポイントは、構成された帯域幅部分の最も近い同期信号ブロックが占用する周波数ポイントである
ことを特徴とする請求項５７〜５９のいずれか１項に記載の無線通信方法。
【請求項６１】
前記第１の参照ポイントと前記第２の参照ポイントとは、同じ参照ポイントであり、又は、
前記第１の参照ポイントと前記第２の参照ポイントとは、異なる参照ポイントである
ことを特徴とする請求項５７〜６０のいずれか１項に記載の無線通信方法。
【請求項６２】
前記方法は、さらに、
前記ネットワークデバイスが参照信号を送信する第３の参照ポイント、及び構成される帯域幅部分に基づいて、前記端末デバイスが前記帯域幅部分に対応する参照信号部分を確定することを含む
ことを特徴とする請求項５７〜６１のいずれか１項に記載の無線通信方法。
【請求項６３】
前記方法は、
前記端末デバイスが前記ネットワークデバイスにより送信された第２の情報を受信することを含み、前記第２の情報は、前記第３の参照ポイントを示す
ことを特徴とする請求項６２に記載の無線通信方法。
【請求項６４】
前記第２の情報は、システム放送メッセージ、ランダムアクセス応答メッセージ又はＲＲＣ専用シグナリングに搬送される
ことを特徴とする請求項６３に記載の無線通信方法。
【請求項６５】
１つの前記参照ポイントは、複数の同期信号ブロックの１つの同期信号ブロックが占用する周波数ポイントである
ことを特徴とする請求項５６〜６４のいずれか１項に記載の無線通信方法。
【請求項６６】
前記第１の情報は、システム放送メッセージ、ランダムアクセス応答メッセージ又はＲＲＣ専用シグナリングに搬送される
ことを特徴とする請求項５６〜６５のいずれか１項に記載の無線通信方法。
【請求項６７】
構成される前記周波数領域リソース及び／又は帯域幅部分は、前記端末デバイスにページングメッセージを送信するために使用される
ことを特徴とする請求項５６〜６６のいずれか１項に記載の無線通信方法。
【請求項６８】
ネットワークデバイスが第１の情報を送信することと、
第１の参照ポイントに従って、前記ネットワークデバイスが第１の端末デバイスに参照信号を送信することとを含み、
前記第１の情報は、前記ネットワークデバイスが前記第１の端末デバイスに前記参照信号を送信する前記第１の参照ポイントを示す
ことを特徴とする無線通信方法。
【請求項６９】
前記第１の情報は、システム放送メッセージに搬送され、
前記第１の端末デバイスは、前記ネットワークデバイスのカバレージエリア内の端末デバイスを含む
ことを特徴とする請求項６８に記載の無線通信方法。
【請求項７０】
前記第１のメッセージは、ランダムアクセス応答メッセージ又は無線リソース制御ＲＲＣ専用シグナリングに搬送される
ことを特徴とする請求項６８に記載の無線通信方法。
【請求項７１】
前記方法は、さらに、
前記ネットワークデバイスが第２の端末デバイスに第２の情報を送信することと、
第２の参照ポイントに従って、前記ネットワークデバイスが前記第２の端末デバイスに参照信号を送信することとを含み、
前記第２の情報は、前記ネットワークデバイスが第１の端末デバイスに前記参照信号を送信する前記第２の参照ポイントを示す
ことを特徴とする請求項７０に記載の無線通信方法。
【請求項７２】
前記第１の参照ポイントと前記第２の参照ポイントとが同じであり、又は、
前記第１の参照ポイントと前記第２の参照ポイントとが異なる
ことを特徴とする請求項７１に記載の無線通信方法。
【請求項７３】
１つの前記参照ポイントは、複数の同期信号ブロックの１つの同期信号ブロックが占用する周波数ポイントである
ことを特徴とする請求項６８〜７２のいずれか１項に記載の無線通信方法。
【請求項７４】
端末デバイスがネットワークデバイスにより送信された第１の情報を受信することと、
前記第１の情報に基づいて、前記端末デバイスが、前記ネットワークデバイスが参照信号を送信する参照ポイントを確定することとを含み、
前記第１の情報は、前記ネットワークデバイスが前記参照信号を送信する前記参照ポイントを示す
ことを特徴とする無線通信方法。
【請求項７５】
前記方法は、さらに、
前記参照ポイント、及び前記端末デバイスに構成された帯域幅部分に基づいて、前記端末デバイスが前記帯域幅部分に対応する参照信号部分を確定することを含む
ことを特徴とする請求項７４に記載の無線通信方法。
【請求項７６】
前記第１の情報は、システム放送メッセージ、ランダムアクセス応答メッセージ又は無線リソース制御ＲＲＣ専用シグナリングに搬送される
ことを特徴とする請求項７４又は７５に記載の無線通信方法。
【請求項７７】
前記参照ポイントは、複数の同期信号ブロックの１つの同期信号ブロックが占用する周波数ポイントである
ことを特徴とする請求項７４〜７６のいずれか１項に記載の無線通信方法。
【請求項７８】
通信ユニット及び処理ユニットを備えるネットワークデバイスであって、
前記通信ユニットは、端末デバイスにより送信された第１のメッセージを受信するように構成され、前記第１のメッセージは、前記端末デバイスが第１の同期信号ブロックを検出したことを示し、
前記処理ユニットは、前記第１の同期信号ブロックに基づいて、前記端末デバイスに対して周波数領域リソース割り当て及び／又は帯域幅部分構成を行うように構成される
ことを特徴とするネットワークデバイス。
【請求項７９】
前記処理ユニットは、さらに、
前記第１の同期信号ブロックが占用する周波数ポイントに基づいて、前記端末デバイスに対して周波数領域リソース割り当て及び／又は帯域幅部分構成を行うように構成される
ことを特徴とする請求項７８に記載のネットワークデバイス。
【請求項８０】
前記処理ユニットは、さらに、
前記第１の同期信号ブロックが占用する周波数ポイントに基づいて、参照ポイントを確定し、
前記参照ポイントに従って、前記端末デバイスに対して周波数領域リソース割り当て及び／又は帯域幅部分構成を行うように構成される
ことを特徴とする請求項７９に記載のネットワークデバイス。
【請求項８１】
前記通信ユニットは、さらに、
前記端末デバイスに第１の情報を送信するように構成され、
前記第１の情報は、前記ネットワークデバイスが前記端末デバイスに対して周波数領域リソース割り当て及び／又は帯域幅部分構成を行う参照ポイントを示す
ことを特徴とする請求項８０に記載のネットワークデバイス。
【請求項８２】
前記第１の情報は、ランダムアクセス応答メッセージ又は無線リソース制御ＲＲＣ専用シグナリングに搬送される
ことを特徴とする請求項８１に記載のネットワークデバイス。
【請求項８３】
前記処理ユニットは、さらに、
前記第１の同期信号ブロックが占用する周波数ポイントを、前記参照ポイントとして確定するように構成される
ことを特徴とする請求項８０〜８２のいずれか１項に記載のネットワークデバイス。
【請求項８４】
前記処理ユニットは、さらに、
前記第１の同期信号ブロックが占用する周波数ポイントに基づいて、第２の同期信号ブロックを確定し、
前記第２の同期信号ブロックが占用する周波数ポイントに基づいて、前記参照ポイントを確定するように構成される
ことを特徴とする請求項８０〜８２のいずれか１項に記載のネットワークデバイス。
【請求項８５】
前記処理ユニットは、さらに、
前記第２の同期信号ブロックが占用する周波数ポイントを、前記参照ポイントとして確定するように構成される
ことを特徴とする請求項８４に記載のネットワークデバイス。
【請求項８６】
前記通信ユニットは、さらに、
第２の情報を送信するように構成され、前記第２の情報は、複数の同期信号ブロックの間の周波数領域関係を示し、前記複数の同期信号ブロックは、第１の同期信号ブロックと前記第２の同期信号ブロックを含む
ことを特徴とする請求項８５に記載のネットワークデバイス。
【請求項８７】
前記処理ユニットは、さらに、
前記第１の同期信号ブロックが占用する周波数ポイントと前記端末デバイスに割り当てる周波数領域リソースとの間隔が所定値の以上である場合、前記第２の同期信号ブロックを確定するように構成される
ことを特徴とする請求項８４〜８６のいずれか１項に記載のネットワークデバイス。
【請求項８８】
前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである
ことを特徴とする請求項８０又は８４に記載のネットワークデバイス。
【請求項８９】
前記第２の参照ポイントは、構成された帯域幅部分の最も近い同期信号ブロックが占用する周波数ポイントである
ことを特徴とする請求項８８に記載のネットワークデバイス。
【請求項９０】
前記第１の参照ポイントは、前記第１の同期信号ブロックが占用する周波数ポイントである
ことを特徴とする請求項８８又は８９に記載のネットワークデバイス。
【請求項９１】
前記第１の参照ポイントは、前記第２の同期信号ブロックが占用する周波数ポイントである
ことを特徴とする請求項８８又は８９に記載のネットワークデバイス。
【請求項９２】
前記第１の参照ポイントと前記第２の参照ポイントとは、同じ参照ポイントであり、又は、
前記第１の参照ポイントと前記第２の参照ポイントとは、異なる参照ポイントである
ことを特徴とする請求項８８〜９１のいずれか１項に記載のネットワークデバイス。
【請求項９３】
前記通信ユニットは、さらに、
前記端末デバイスに第３の情報を送信するように構成され、
前記第３の情報は、割り当てるリソースサイズ及び／又は前記参照ポイントに対するオフセット、及び／又は、構成される帯域幅部分の数及び／又は前記参照ポイントに対するオフセットを示す
ことを特徴とする請求項８０〜９２のいずれか１項に記載のネットワークデバイス。
【請求項９４】
前記通信ユニットは、さらに、
第３の参照ポイントに従って、前記端末デバイスに参照信号を送信するように構成される
ことを特徴とする請求項７８〜９３のいずれか１項に記載のネットワークデバイス。
【請求項９５】
前記通信ユニットは、さらに、
前記端末デバイスに第４の情報を送信するように構成され、
前記第４の情報は、前記端末デバイスが参照信号を送信する前記第３の参照ポイントを示す
ことを特徴とする請求項９４に記載のネットワークデバイス。
【請求項９６】
前記第１のメッセージには前記第１の同期信号ブロックのインデックスが含まれる
ことを特徴とする請求項７８〜９５のいずれか１項に記載のネットワークデバイス。
【請求項９７】
前記第１のメッセージが占用するリソースを介して前記第１の同期信号ブロックを前記ネットワークデバイスに指示する
ことを特徴とする請求項７８〜９６のいずれか１項に記載のネットワークデバイス。
【請求項９８】
前記通信ユニットは、さらに、
前記端末デバイスに第５の情報を送信するように構成され、
前記第５の情報は、複数の前記第１のメッセージが占用するリソースと複数の同期信号ブロックとの対応関係を示す
ことを特徴とする請求項９７に記載のネットワークデバイス。
【請求項９９】
前記第１のメッセージは、ランダムアクセス手順のメッセージである
ことを特徴とする請求項９７又は９８に記載のネットワークデバイス。
【請求項１００】
前記第１のメッセージがランダムアクセス要求メッセージであり、前記第１のメッセージは、それに含まれるランダムアクセスプリアンブルを介して前記第１の同期信号ブロックを前記ネットワークデバイスに指示する
ことを特徴とする請求項７８〜９６のいずれか１項に記載のネットワークデバイス。
【請求項１０１】
前記通信ユニットは、さらに、
前記端末デバイスに第６の情報を送信するように構成され、
前記第６の情報は、複数のプリアンブルアクセスコードと複数の同期信号ブロックとの対応関係を示す
ことを特徴とする請求項１００に記載のネットワークデバイス。
【請求項１０２】
前記処理ユニットは、さらに、
前記第１の同期信号ブロックに基づいて、前記端末デバイスの能力情報及び／又はネットワークの現在サービス状況を参照し、前記端末デバイスに対して周波数領域リソース割り当て及び／又は帯域幅部分構成を行うように構成される
ことを特徴とする請求項７８〜１０１のいずれか１項に記載のネットワークデバイス。
【請求項１０３】
通信ユニットと処理ユニットを備える端末デバイスであって、
前記通信ユニットは、ネットワークデバイスに第１のメッセージを送信するように構成され、前記第１のメッセージは、前記端末デバイスが第１の同期信号ブロックを検出したことを示し、
前記処理ユニットは、前記第１の同期信号ブロックに基づいて、前記ネットワークデバイスが前記端末デバイスに対して行う周波数領域リソース割り当て及び／又は帯域幅部分構成を確定するように構成される
ことを特徴とする端末デバイス。
【請求項１０４】
前記処理ユニットは、さらに、
前記第１の同期信号ブロックが占用する周波数ポイントに基づいて、前記ネットワークデバイスが前記端末デバイスに対して行う周波数領域リソース割り当て及び／又は帯域幅部分構成を確定するように構成される
ことを特徴とする請求項１０３に記載の端末デバイス。
【請求項１０５】
前記処理ユニットは、さらに、
前記第１の同期信号ブロックが占用する周波数ポイントに基づいて、前記ネットワークデバイスが前記端末デバイスに対して行う周波数領域リソース割り当て及び／又は帯域幅部分構成の参照ポイントを確定し、
前記参照ポイントに従って、前記ネットワークデバイスが前記端末デバイスに対して行う周波数領域リソース割り当て及び／又は帯域幅部分構成を確定するように構成される
ことを特徴とする請求項１０４に記載の端末デバイス。
【請求項１０６】
前記処理ユニットは、さらに、
前記第１の同期信号ブロックが占用する周波数ポイントを、前記参照ポイントとして確定するように構成される
ことを特徴とする請求項１０５に記載の端末デバイス。
【請求項１０７】
前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである
ことを特徴とする請求項１０５に記載の端末デバイス。
【請求項１０８】
前記第１の参照ポイントは、前記第１の同期信号ブロックが占用する周波数ポイントである
ことを特徴とする請求項１０７に記載の端末デバイス。
【請求項１０９】
前記第２の参照ポイントは、構成された帯域幅部分の最も近い同期信号ブロックが占用する周波数ポイントである
ことを特徴とする請求項１０７に記載の端末デバイス。
【請求項１１０】
前記第１の参照ポイントと前記第２の参照ポイントとは、同じ参照ポイントであり、又は、
前記第１の参照ポイントと前記第２の参照ポイントとは、異なる参照ポイントである
ことを特徴とする請求項１０７〜１０９のいずれか１項に記載の端末デバイス。
【請求項１１１】
前記通信ユニットは、さらに、
前記端末デバイスにより送信された第１の情報を受信するように構成され、前記第１の情報は、割り当てるリソースサイズ及び／又は前記参照ポイントに対するオフセット、及び／又は、  構成される帯域幅部分の数及び／又は前記参照ポイントに対するオフセットを示し、
前記処理ユニットは、さらに、
前記第１の情報、及び前記参照ポイントに基づいて、前記ネットワークデバイスが前記端末デバイスに対して行う周波数領域リソース割り当て及び／又は帯域幅部分構成を確定するように構成される
ことを特徴とする請求項１０５〜１１０のいずれか１項に記載の端末デバイス。
【請求項１１２】
前記処理ユニットは、さらに、
前記ネットワークデバイスが参照信号を送信する第３の参照ポイント、及び構成される帯域幅部分に基づいて、前記帯域幅部分に対応する参照信号部分を確定するように構成される
ことを特徴とする請求項１０３〜１１１のいずれか１項に記載の端末デバイス。
【請求項１１３】
前記通信ユニットは、さらに、
前記ネットワークデバイスにより送信された第２の情報を受信するように構成され、前記第２の情報は、前記第３の参照ポイントを示す
ことを特徴とする請求項１１２に記載の端末デバイス。
【請求項１１４】
前記第１のメッセージには前記第１の同期信号ブロックのインデックスが含まれる
ことを特徴とする請求項１０３〜１１３のいずれか１項に記載の端末デバイス。
【請求項１１５】
前記第１のメッセージが占用するリソースを介して前記第１の同期信号ブロックを前記ネットワークデバイスに指示する
ことを特徴とする請求項１０３〜１１３のいずれか１項に記載の端末デバイス。
【請求項１１６】
前記通信ユニットは、さらに、
前記ネットワークデバイスにより送信された第３の情報を受信し、前記第３の情報は、複数の前記第１のメッセージが占用するリソースと複数の同期信号ブロックとの対応関係を示し、
前記第３の情報が示す前記対応関係に基づいて、前記第１のメッセージを送信するリソースを確定し、
確定された前記リソースにおいて、前記第１のメッセージを送信するように構成される
ことを特徴とする請求項１１５に記載の端末デバイス。
【請求項１１７】
前記第１のメッセージは、ランダムアクセス手順のメッセージである
ことを特徴とする請求項１１５又は１１６に記載の端末デバイス。
【請求項１１８】
前記第１のメッセージがランダムアクセス要求メッセージであり、前記第１のメッセージは、それに含まれるランダムアクセスプリアンブルを介して前記第１の同期信号ブロックを前記ネットワークデバイスに指示する
ことを特徴とする請求項１０３〜１１７に記載の端末デバイス。
【請求項１１９】
前記通信ユニットは、さらに、
前記ネットワークデバイスにより送信された第４の情報を受信し、前記第４の情報は、複数のプリアンブルアクセスコードと複数の同期信号ブロックとの対応関係を示し、
前記第１の同期信号ブロック、及び前記第４の情報が示す対応関係に基づいて、ランダムアクセスプリアンブルを確定し、
前記ランダムアクセスプリアンブルが含まれる前記第１のメッセージを送信するように構成され
ことを特徴とする請求項１１８に記載の端末デバイス。
【請求項１２０】
通信ユニットと処理ユニットを備えるネットワークデバイスであって、
前記通信ユニットは、第１の情報を送信するように構成され、前記第１の情報は、前記ネットワークデバイスが端末デバイスに対して周波数領域リソース割り当て及び／又は帯域幅部分構成を行う参照ポイントを示し、
前記処理ユニットは、前記参照ポイントに従って、端末デバイスに対して周波数領域リソース割り当て及び／又は帯域幅部分構成を行うように構成される
ことを特徴とするネットワークデバイス。
【請求項１２１】
前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである
ことを特徴とする請求項１２０に記載のネットワークデバイス。
【請求項１２２】
前記第１の情報は、前記第１の参照ポイント及び前記第２の参照ポイントを示す
ことを特徴とする請求項１２１に記載のネットワークデバイス。
【請求項１２３】
前記第１の情報が第１の参照ポイントを示し、
前記処理ユニットは、さらに、
前記第１の参照ポイントに基づいて、帯域幅部分構成を行い、
構成された帯域幅部分に基づいて、第２の参照ポイントを確定し、
前記第２の参照ポイントに従って、周波数領域リソース割り当てを行うように構成される
ことを特徴とする請求項１２１に記載のネットワークデバイス。
【請求項１２４】
前記第２の参照ポイントは、構成された帯域幅部分の最も近い同期信号ブロックが占用する周波数ポイントである
ことを特徴とする請求項１２１〜１２３のいずれか１項に記載のネットワークデバイス。
【請求項１２５】
前記第１の参照ポイントと前記第２の参照ポイントとは、同じ参照ポイントであり、又は、
前記第１の参照ポイントと前記第２の参照ポイントとは、異なる参照ポイントである
ことを特徴とする請求項１２１〜１２４のいずれか１項に記載のネットワークデバイス。
【請求項１２６】
前記通信ユニットは、さらに、
第３の参照ポイントに従って、前記端末デバイスに参照信号を送信するように構成される
ことを特徴とする請求項１２１〜１２５のいずれか１項に記載のネットワークデバイス。
【請求項１２７】
前記通信ユニットは、さらに、
前記端末デバイスに第２の情報を送信するように構成され、前記第２の情報は、前記端末デバイスが参照信号を送信する参照ポイントを示す
ことを特徴とする請求項１２６に記載のネットワークデバイス。
【請求項１２８】
前記第２の情報は、システム放送メッセージ、ランダムアクセス応答メッセージ又はＲＲＣ専用シグナリングに搬送される
ことを特徴とする請求項１２７に記載のネットワークデバイス。
【請求項１２９】
１つの前記参照ポイントは、複数の同期信号ブロックの１つの同期信号ブロックが占用する周波数ポイントである
ことを特徴とする請求項１２０〜１２８のいずれか１項に記載のネットワークデバイス。
【請求項１３０】
前記第１の情報は、システム放送メッセージ、ランダムアクセス応答メッセージ又はＲＲＣ専用シグナリングに搬送される
ことを特徴とする請求項１２０〜１２９のいずれか１項に記載のネットワークデバイス。
【請求項１３１】
前記処理ユニットは、さらに、
前記参照ポイントに従って、前記端末デバイスの能力情報及び／又はネットワークの現在サービス状況を参照し、前記端末デバイスに対して周波数領域リソース割り当て及び／又は帯域幅部分構成を行うように構成される
ことを特徴とする請求項１２０〜１３０のいずれか１項に記載のネットワークデバイス。
【請求項１３２】
構成される前記周波数領域リソース及び／又は帯域幅部分は、前記端末デバイスにページングメッセージを送信するために使用される
ことを特徴とする請求項１３０又は１３１に記載のネットワークデバイス。
【請求項１３３】
通信ユニットと処理ユニットを備える端末デバイスであって、
前記通信ユニットは、ネットワークデバイスにより送信された第１の情報を受信するように構成され、前記第１の情報は、前記ネットワークデバイスが前記端末デバイスに対して周波数領域リソース割り当て及び/又は帯域幅部分構成を行う参照ポイントを示し、
前記処理ユニットは、前記参照ポイントに従って、前記ネットワークデバイスが前記端末デバイスに対して周波数領域リソース割り当て及び/又は帯域幅部分構成を行う参照ポイントを確定するように構成される
ことを特徴とする端末デバイス。
【請求項１３４】
前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである
ことを特徴とする請求項１３３に記載の端末デバイス。
【請求項１３５】
前記第１の情報は、前記第１の参照ポイント及び前記第２の参照ポイントを示す
ことを特徴とする請求項１３４に記載の端末デバイス。
【請求項１３６】
前記第１の情報が前記第１の参照ポイントを示し、
前記処理ユニットは、さらに、
前記第１の参照ポイントに基づいて、前記ネットワークデバイスが前記端末デバイスに対して行う帯域幅部分構成を確定し、
構成された帯域幅部分に基づいて、第２の参照ポイントを確定し、
前記第２の参照ポイントに従って、前記ネットワークデバイスが前記端末デバイスに対して行う周波数領域リソース割り当てを確定するように構成される
ことを特徴とする請求項１３４に記載の端末デバイス。
【請求項１３７】
前記第２の参照ポイントは、構成された帯域幅部分の最も近い同期信号ブロックが占用する周波数ポイントである
ことを特徴とする請求項１３４〜１３６のいずれか１項に記載の端末デバイス。
【請求項１３８】
前記第１の参照ポイントと前記第２の参照ポイントとは、同じ参照ポイントであり、又は、
前記第１の参照ポイントと前記第２の参照ポイントとは、異なる参照ポイントである
ことを特徴とする請求項１３４〜１３７のいずれか１項に記載の端末デバイス。
【請求項１３９】
前記処理ユニットは、さらに、
前記ネットワークデバイスが参照信号を送信する第３の参照ポイント、及び構成される帯域幅部分に基づいて、前記帯域幅部分に対応する参照信号部分を確定するように構成される
ことを特徴とする請求項１３４〜１３８のいずれか１項に記載の端末デバイス。
【請求項１４０】
前記通信ユニットは、さらに、
前記ネットワークデバイスにより送信された第２の情報を受信するように構成され、前記第２の情報は、前記第３の参照ポイントを示す
ことを特徴とする請求項１３９に記載の端末デバイス。
【請求項１４１】
前記第２の情報は、システム放送メッセージ、ランダムアクセス応答メッセージ又はＲＲＣ専用シグナリングに搬送される
ことを特徴とする請求項１４０に記載の端末デバイス。
【請求項１４２】
１つの前記参照ポイントは、複数の同期信号ブロックの１つの同期信号ブロックが占用する周波数ポイントである
ことを特徴とする請求項１３３〜１４１のいずれか１項に記載の端末デバイス。
【請求項１４３】
前記第１の情報は、システム放送メッセージ、ランダムアクセス応答メッセージ又はＲＲＣ専用シグナリングに搬送される
ことを特徴とする請求項１３３〜１４２のいずれか１項に記載の端末デバイス。
【請求項１４４】
構成される前記周波数領域リソース及び／又は帯域幅部分は、前記端末デバイスにページングメッセージを送信するために使用される
ことを特徴とする請求項１３３〜１４３のいずれか１項に記載の端末デバイス。
【請求項１４５】
処理ユニットと通信ユニットを備えるネットワークデバイスであって、
前記処理ユニットは、前記ネットワークデバイスが第１の端末デバイスに参照信号を送信する第１の参照ポイントを確定するように構成され、
前記通信ユニットは、第１の情報を送信し、前記第１の参照ポイントに基づいて、前記第１の端末デバイスに前記参照信号を送信するように構成され、前記第１の情報は、前記ネットワークデバイスが第１の端末デバイスに参照信号を送信する第１の参照ポイントを示す
ことを特徴とするネットワークデバイス。
【請求項１４６】
前記第１の情報は、システム放送メッセージに搬送され、前記第１の端末デバイスは、前記ネットワークデバイスのカバレージエリア内の端末デバイスを含む
ことを特徴とする請求項１４５に記載のネットワークデバイス。
【請求項１４７】
前記第１のメッセージは、ランダムアクセス応答メッセージ又は無線リソース制御ＲＲＣ専用シグナリングに搬送される
ことを特徴とする請求項１４５に記載のネットワークデバイス。
【請求項１４８】
前記通信ユニットは、さらに、
第２の端末デバイスに第２の情報を送信し、前記第２の参照ポイントに基づいて、前記第２の端末デバイスに前記参照信号を送信するように構成され、前記第２の情報は、前記ネットワークデバイスが第１の端末デバイスに参照信号を送信する第２の参照ポイントを示す
ことを特徴とする請求項１４７に記載のネットワークデバイス。
【請求項１４９】
前記第１の参照ポイントと前記第２の参照ポイントとが同じであり、又は、
前記第１の参照ポイントと前記第２の参照ポイントとが異なる
ことを特徴とする請求項１４８に記載のネットワークデバイス。
【請求項１５０】
１つの前記参照ポイントは、複数の同期信号ブロックの１つの同期信号ブロックが占用する周波数ポイントである
ことを特徴とする請求項１４５〜１４９のいずれか１項に記載のネットワークデバイス。
【請求項１５１】
通信ユニットと処理ユニットを備える端末デバイスであって、
前記通信ユニットは、ネットワークデバイスにより送信された第１の情報を受信するように構成され、前記第１の情報は、前記ネットワークデバイスが参照信号を送信する参照ポイントを示し、
前記処理ユニットは、前記第１の情報に基づいて、前記ネットワークデバイスが参照信号を送信する参照ポイントを確定するように構成される
ことを特徴とする端末デバイス。
【請求項１５２】
前記処理ユニットは、さらに、
前記参照ポイント、及び前記端末デバイスに構成された帯域幅部分に基づいて、前記帯域幅部分に対応する参照信号部分を確定するように構成される
ことを特徴とする請求項１５１に記載の端末デバイス。
【請求項１５３】
前記第１の情報は、システム放送メッセージ、ランダムアクセス応答メッセージ又は無線リソース制御ＲＲＣ専用シグナリングに搬送される
ことを特徴とする請求項１５１又は１５２に記載の端末デバイス。
【請求項１５４】
前記参照ポイントは、複数の同期信号ブロックの１つの同期信号ブロックが占用する周波数ポイントである
ことを特徴とする請求項１５１〜１５３のいずれか１項に記載の端末デバイス。
【発明の詳細な説明】
【技術分野】
【０００１】
本願の実施例は、通信分野に関し、具体的に、無線通信方法及びデバイスに関する。
【背景技術】
【０００２】
Ｌｏｎｇ Ｔｅｒｍ Ｅｖｏｌｕｔｉｏｎ（ＬＴＥ）通信システムでは、システム帯域幅の中心周波数ポイントを参照ポイントとして、端末デバイスの間の送信されるデータ量を参照し、端末デバイスにリソースを割り当てることができ、また、システム帯域幅の中心周波数ポイントを参照ポイントとして、参照信号を送信することができる。
【０００３】
Ｎｅｗ Ｒａｄｉｏ（ＮＲ）通信システムでは、どのようにリソースの割り当ておよび/または構成を行う方法、または参照信号を送信する方法は、解決しようとする課題になる。
【発明の概要】
【０００４】
本願は、ＮＲシステムにおいてリソースの割り当て及び／又は構成、又は参照信号の送信を実現する無線通信方法及びデバイスを提供する。
【０００５】
第１の形態は、無線通信方法を提供し、
ネットワークデバイスが端末デバイスにより送信された第１のメッセージを受信することと、
前記第１の同期信号ブロックに基づいて、前記ネットワークデバイスが前記端末デバイスに対して周波数領域リソース割り当て及び／又は帯域幅部分構成を行うこととを含み、前記第１のメッセージは、前記端末デバイスが第１の同期信号ブロックを検出したことを指示する。
【０００６】
したがって、本願の実施例では、ネットワークデバイスは、端末デバイスによって現在検出された同期信号ブロックを参照し、端末デバイスに周波数領域リソース割り当ておよび/または帯域幅部分構成を行い、柔軟な周波数領域リソース割り当ておよび/または帯域幅部分構成を実現することができる。
【０００７】
第１の形態と結合し、第１の形態の実現可能な方式において、前記第１の同期信号ブロックに基づいて、前記ネットワークデバイスが前記端末デバイスに対して周波数領域リソース割り当て及び／又は帯域幅部分構成を行うことは、
前記第１の同期信号ブロックが占用する周波数ポイントに基づいて、前記ネットワークデバイスが前記端末デバイスに対して周波数領域リソース割り当て及び／又は帯域幅部分構成を行うことを含む。
【０００８】
第１の形態又は第１の形態の実現可能な方式と結合し、第１の形態の他の実現可能な方式において、前記第１の同期信号ブロックが占用する周波数ポイントに基づいて、前記ネットワークデバイスが前記端末デバイスに対して周波数領域リソース割り当て及び／又は帯域幅部分構成を行うことは、
前記第１の同期信号ブロックが占用する周波数ポイントに基づいて、参照ポイントを確定することと、
前記参照ポイントに従って、前記ネットワークデバイスが前記端末デバイスに対して周波数領域リソース割り当て及び／又は帯域幅部分構成を行うこととを含む。
【０００９】
第１の形態又は第１の形態の実現可能な方式と結合し、第１の形態の他の実現可能な方式において、前記方法は、さらに、
前記ネットワークデバイスが前記端末デバイスに第１の情報を送信することを含み、前記第１の情報は、前記ネットワークデバイスが前記端末デバイスに対して周波数領域リソース割り当て及び／又は帯域幅部分構成を行う参照ポイントを示す。
【００１０】
第１の形態又は第１の形態の実現可能な方式と結合し、第１の形態の他の実現可能な方式において、前記第１の情報は、ランダムアクセス応答メッセージ又は無線リソース制御ＲＲＣ専用シグナリングに搬送される。
【００１１】
第１の形態又は第１の形態の実現可能な方式と結合し、第１の形態の他の実現可能な方式において、前記第１の同期信号ブロックが占用する周波数ポイントに基づいて、参照ポイントを確定することは、
前記第１の同期信号ブロックが占用する周波数ポイントを、前記参照ポイントとして確定することを含む。
【００１２】
第１の形態又は第１の形態の実現可能な方式と結合し、第１の形態の他の実現可能な方式において、前記第１の同期信号ブロックが占用する周波数ポイントに基づいて、参照ポイントを確定することは、
前記第１の同期信号ブロックが占用する周波数ポイントに基づいて、第２の同期信号ブロックを確定することと、
前記第２の同期信号ブロックが占用する周波数ポイントに基づいて、前記参照ポイントを確定することとを含む。
【００１３】
第１の形態又は第１の形態の実現可能な方式と結合し、第１の形態の他の実現可能な方式において、前記第２の同期信号ブロックが占用する周波数ポイントに基づいて、前記参照ポイントを確定することは、
前記第２の同期信号ブロックが占用する周波数ポイントを、前記参照ポイントとして確定することを含む。
【００１４】
第１の形態又は第１の形態の実現可能な方式と結合し、第１の形態の他の実現可能な方式において、前記方法は、さらに、
前記ネットワークデバイスが第２の情報を送信することを含み、前記第２の情報は、複数の同期信号ブロックの間の周波数領域関係を示し、前記複数の同期信号ブロックは、第１の同期信号ブロックと前記第２の同期信号ブロックを含む。
【００１５】
第１の形態又は第１の形態の実現可能な方式と結合し、第１の形態の他の実現可能な方式において、前記第１の同期信号ブロックが占用する周波数ポイントに基づいて、第２の同期信号ブロックを確定することは、
前記第１の同期信号ブロックが占用する周波数ポイントと前記端末デバイスに割り当てる周波数領域リソースとの間隔が所定値の以上である場合、前記第２の同期信号ブロックを確定することを含む。
【００１６】
第１の形態又は第１の形態の実現可能な方式と結合し、第１の形態の他の実現可能な方式において、前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである。
【００１７】
第１の形態又は第１の形態の実現可能な方式と結合し、第１の形態の他の実現可能な方式において、前記第２の参照ポイントは、構成された帯域幅部分の最も近い同期信号ブロックが占用する周波数ポイントである。
【００１８】
第１の形態又は第１の形態の実現可能な方式と結合し、第１の形態の他の実現可能な方式において、前記第１の参照ポイントは、前記第１の同期信号ブロックが占用する周波数ポイントである。
【００１９】
第１の形態又は第１の形態の実現可能な方式と結合し、第１の形態の他の実現可能な方式において、前記第１の参照ポイントは、前記第２の同期信号ブロックが占用する周波数ポイントである。
【００２０】
第１の形態又は第１の形態の実現可能な方式と結合し、第１の形態の他の実現可能な方式において、前記第１の参照ポイントと前記第２の参照ポイントとは、同じ参照ポイントであり、又は、
前記第１の参照ポイントと前記第２の参照ポイントとは、異なる参照ポイントである。
【００２１】
第１の形態又は第１の形態の実現可能な方式と結合し、第１の形態の他の実現可能な方式において、前記参照ポイントに従って、前記ネットワークデバイスが前記端末デバイスに対して周波数領域リソース割り当て及び／又は帯域幅部分構成を行うことは、
前記ネットワークデバイスが前記端末デバイスに第３の情報を送信することを含み、前記第３の情報は、
割り当てるリソースサイズ及び／又は前記参照ポイントに対するオフセット、及び／又は、構成される帯域幅部分の数及び／又は前記参照ポイントに対するオフセットを示す。
【００２２】
第１の形態又は第１の形態の実現可能な方式と結合し、第１の形態の他の実現可能な方式において、前記方法は、さらに、
第３の参照ポイントに従って、前記ネットワークデバイスが前記端末デバイスに参照信号を送信することを含む。
【００２３】
第１の形態又は第１の形態の実現可能な方式と結合し、第１の形態の他の実現可能な方式において、前記方法は、
前記ネットワークデバイスが前記端末デバイスに第４の情報を送信することを含み、前記第４の情報は、前記端末デバイスが参照信号を送信する前記第３の参照ポイントを示す。
【００２４】
第１の形態又は第１の形態の実現可能な方式と結合し、第１の形態の他の実現可能な方式において、前記第１のメッセージには前記第１の同期信号ブロックのインデックスが含まれる。
【００２５】
第１の形態又は第１の形態の実現可能な方式と結合し、第１の形態の他の実現可能な方式において、前記第１のメッセージが占用するリソースを介して前記第１の同期信号ブロックを前記ネットワークデバイスに指示する。
【００２６】
第１の形態又は第１の形態の実現可能な方式と結合し、第１の形態の他の実現可能な方式において、前記方法は、さらに、
前記ネットワークデバイスが前記端末デバイスに第５の情報を送信することを含み、前記第５の情報は、複数の前記第１のメッセージが占用するリソースと複数の同期信号ブロックとの対応関係を示す。
【００２７】
第１の形態又は第１の形態の実現可能な方式と結合し、第１の形態の他の実現可能な方式において、前記第１のメッセージは、ランダムアクセス手順のメッセージである。
【００２８】
第１の形態又は第１の形態の実現可能な方式と結合し、第１の形態の他の実現可能な方式において、前記第１のメッセージがランダムアクセス要求メッセージであり、前記第１のメッセージは、それに含まれるランダムアクセスプリアンブルを介して前記第１の同期信号ブロックを前記ネットワークデバイスに指示する。
【００２９】
第１の形態又は第１の形態の実現可能な方式と結合し、第１の形態の他の実現可能な方式において、前記方法は、さらに、
前記ネットワークデバイスが前記端末デバイスに第６の情報を送信することを含み、前記第６の情報は、複数のプリアンブルアクセスコードと複数の同期信号ブロックとの対応関係を示す。
【００３０】
第１の形態又は第１の形態の実現可能な方式と結合し、第１の形態の他の実現可能な方式において、前記第１の同期信号ブロックに基づいて、前記ネットワークデバイスが前記端末デバイスに対して周波数領域リソース構成を行うことは、
前記第１の同期信号ブロックに基づいて、前記端末デバイスの能力情報及び／又はネットワークの現在サービス状況を参照し、前記端末デバイスに対して周波数領域リソース割り当て及び／又は帯域幅部分構成を行うことを含む。
【００３１】
第２の形態は、無線通信方法を提供し、
端末デバイスがネットワークデバイスに第１のメッセージを送信することと、
前記第１の同期信号ブロックに基づいて、前記端末デバイスが、前記ネットワークデバイスが前記端末デバイスに対して行う周波数領域リソース割り当て及び／又は帯域幅部分構成を確定することとを含み、前記第１のメッセージは、前記端末デバイスが第１の同期信号ブロックを検出したことを示す。
【００３２】
第２の形態と結合し、第２の形態の実現可能な方式において、前記第１の同期信号ブロックに基づいて、前記端末デバイスが、前記ネットワークデバイスが前記端末デバイスに対して行う周波数領域リソース割り当て及び／又は帯域幅部分構成を確定することは、
前記第１の同期信号ブロックが占用する周波数ポイントに基づいて、前記端末デバイスが、前記ネットワークデバイスが前記端末デバイスに対して行う周波数領域リソース割り当て及び／又は帯域幅部分構成を確定することを含む。
【００３３】
第２の形態又は第２の形態の実現可能な方式と結合し、第２の形態の他の実現可能な方式において、前記第１の同期信号ブロックが占用する周波数ポイントに基づいて、前記端末デバイスが、前記ネットワークデバイスが前記端末デバイスに対して行う周波数領域リソース割り当て及び／又は帯域幅部分構成を確定することは、
前記第１の同期信号ブロックが占用する周波数ポイントに基づいて、前記ネットワークデバイスが前記端末デバイスに対して行う周波数領域リソース割り当て及び／又は帯域幅部分構成の参照ポイントを確定することと、
前記参照ポイントに基づいて、前記端末デバイスが、前記ネットワークデバイスが前記端末デバイスに対して行う周波数領域リソース割り当て及び／又は帯域幅部分構成を確定することとを含む。
【００３４】
第２の形態又は第２の形態の実現可能な方式と結合し、第２の形態の他の実現可能な方式において、前記第１の同期信号ブロックが占用する周波数ポイントに基づいて、前記ネットワークデバイスが前記端末デバイスに対して行う周波数領域リソース割り当て及び／又は帯域幅部分構成の参照ポイントを確定することは、
前記第１の同期信号ブロックが占用する周波数ポイントを、前記参照ポイントとして確定することを含む。
【００３５】
第２の形態又は第２の形態の実現可能な方式と結合し、第２の形態の他の実現可能な方式において、前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである。
【００３６】
第２の形態又は第２の形態の実現可能な方式と結合し、第２の形態の他の実現可能な方式において、前記第１の参照ポイントは、前記第１の同期信号ブロックが占用する周波数ポイントである。
【００３７】
第２の形態又は第２の形態の実現可能な方式と結合し、第２の形態の他の実現可能な方式において、前記第２の参照ポイントは、構成された帯域幅部分の最も近い同期信号ブロックが占用する周波数ポイントである。
【００３８】
第２の形態又は第２の形態の実現可能な方式と結合し、第２の形態の他の実現可能な方式において、前記第１の参照ポイントと前記第２の参照ポイントとは、同じ参照ポイントであり、又は、
前記第１の参照ポイントと前記第２の参照ポイントとは、異なる参照ポイントである。
【００３９】
第２の形態又は第２の形態の実現可能な方式と結合し、第２の形態の他の実現可能な方式において、前記方法は、さらに、
前記ネットワークデバイスが前記端末デバイスにより送信された第１の情報を受信することを含み、前記第１の情報は、
割り当てるリソースサイズ及び／又は前記参照ポイントに対するオフセット、及び／又は、構成される帯域幅部分の数及び／又は前記参照ポイントに対するオフセットを示し、
前記参照ポイントに基づいて、前記端末デバイスが、前記ネットワークデバイスが前記端末デバイスに対して行う周波数領域リソース割り当て及び／又は帯域幅部分構成を確定することは、
前記第１の情報、及び前記参照ポイントに基づいて、前記端末デバイスが、前記ネットワークデバイスが前記端末デバイスに対して行う周波数領域リソース割り当て及び／又は帯域幅部分構成を確定することを含む。
【００４０】
第２の形態又は第２の形態の実現可能な方式と結合し、第２の形態の他の実現可能な方式において、前記方法は、さらに、
前記ネットワークデバイスが参照信号を送信する第３の参照ポイント、及び構成される帯域幅部分に基づいて、前記帯域幅部分に対応する参照信号部分を確定することを含む。
【００４１】
第２の形態又は第２の形態の実現可能な方式と結合し、第２の形態の他の実現可能な方式において、前記方法は、
前記端末デバイスが前記ネットワークデバイスにより送信された第２の情報を受信することを含み、前記第２の情報は、前記第３の参照ポイントを示す。
【００４２】
第２の形態又は第２の形態の実現可能な方式と結合し、第２の形態の他の実現可能な方式において、前記第１のメッセージには前記第１の同期信号ブロックのインデックスが含まれる。
【００４３】
第２の形態又は第２の形態の実現可能な方式と結合し、第２の形態の他の実現可能な方式において、前記第１のメッセージが占用するリソースを介して前記第１の同期信号ブロックを前記ネットワークデバイスに指示する。
【００４４】
第２の形態又は第２の形態の実現可能な方式と結合し、第２の形態の他の実現可能な方式において、前記方法は、さらに、
前記端末デバイスが前記ネットワークデバイスにより送信された第３の情報を受信することを含み、前記第３の情報は、複数の前記第１のメッセージが占用するリソースと複数の同期信号ブロックとの対応関係を示し、
前記端末デバイスがネットワークデバイスに第１のメッセージを送信することは、
前記第３の情報が示す前記対応関係に基づいて、前記第１のメッセージを送信するリソースを確定することと、
確定された前記リソースにおいて、前記第１のメッセージを送信することとを含む。
【００４５】
第２の形態又は第２の形態の実現可能な方式と結合し、第２の形態の他の実現可能な方式において、前記第１のメッセージは、ランダムアクセス手順のメッセージである。
【００４６】
第２の形態又は第２の形態の実現可能な方式と結合し、第２の形態の他の実現可能な方式において、前記第１のメッセージがランダムアクセス要求メッセージであり、前記第１のメッセージは、それに含まれるランダムアクセスプリアンブルを介して前記第１の同期信号ブロックを前記ネットワークデバイスに指示する。
【００４７】
第２の形態又は第２の形態の実現可能な方式と結合し、第２の形態の他の実現可能な方式において、前記方法は、さらに、
前記端末デバイスが前記ネットワークデバイスにより送信された第４の情報を受信することを含み、前記第４の情報は、複数のプリアンブルアクセスコードと複数の同期信号ブロックとの対応関係を示し、
前記端末デバイスがネットワークデバイスに第１のメッセージを送信することは、
前記第１の同期信号ブロック、及び前記第４の情報が示す対応関係に基づいて、ランダムアクセスプリアンブルを確定することと、
前記ランダムアクセスプリアンブルが含まれる前記第１のメッセージを送信することとを含む。
【００４８】
第３の形態は、無線通信方法を提供し、
ネットワークデバイスが第１の情報を送信することと、
前記参照ポイントに従って、前記ネットワークデバイスが端末デバイスに対して周波数領域リソース割り当て及び／又は帯域幅部分構成を行うこととを含み、前記第１の情報は、前記ネットワークデバイスが端末デバイスに対して周波数領域リソース割り当て及び／又は帯域幅部分構成を行う参照ポイントを示す。
【００４９】
したがって、本願の実施例では、ネットワークデバイスは、周波数領域リソース割り当て及び／又は帯域幅部分構成を行う参照ポイントを端末デバイスに指示することで、参照ポイントは柔軟に構成することができ、システム内の固定参照ポイントの使用を回避し、システム帯域幅が大きい場合、システム帯域幅の中心周波数ポイントを参照ポイントとして固定的に使用されることにより、端末デバイスに指示されて割り当てた周波数領域リソースおよび/または構成された帯域幅部分が長いフィールドを要し、シグナリングのオーバーヘッドが増加されること回避することができる。さらに、ネットワークデバイスにより周波数領域リソース割り当て及び／又は帯域幅部分構成を行うように指示された参照ポイントは、複数の同期信号ブロックが存在するシーンに適用できる。
【００５０】
第３の形態と結合し、第３の形態の実現可能な方式において、前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである。
【００５１】
第３の形態又は第３の形態の実現可能な方式と結合し、第３の形態の他の実現可能な方式において、前記第１の情報は、前記第１の参照ポイント及び前記第２の参照ポイントを示す。
【００５２】
第３の形態又は第３の形態の実現可能な方式と結合し、第３の形態の他の実現可能な方式において、前記第１の情報が第１の参照ポイントを示し、
前記参照ポイントに従って、前記ネットワークデバイスが前記端末デバイスに対して周波数領域リソース割り当て及び／又は帯域幅部分構成を行うことは、
前記第１の参照ポイントに基づいて、帯域幅部分構成を行うことと、
構成された帯域幅部分に基づいて、第２の参照ポイントを確定することと、
前記第２の参照ポイントに従って、周波数領域リソース割り当てを行うこととを含む。
【００５３】
第３の形態又は第３の形態の実現可能な方式と結合し、第３の形態の他の実現可能な方式において、前記第２の参照ポイントは、構成された帯域幅部分の最も近い同期信号ブロックが占用する周波数ポイントである。
【００５４】
第３の形態又は第３の形態の実現可能な方式と結合し、第３の形態の他の実現可能な方式において、前記第１の参照ポイントと前記第２の参照ポイントとは、同じ参照ポイントであり、又は、
前記第１の参照ポイントと前記第２の参照ポイントとは、異なる参照ポイントである。
【００５５】
第３の形態又は第３の形態の実現可能な方式と結合し、第３の形態の他の実現可能な方式において、前記方法は、さらに、
第３の参照ポイントに従って、前記ネットワークデバイスが前記端末デバイスに参照信号を送信することを含む。
【００５６】
第３の形態又は第３の形態の実現可能な方式と結合し、第３の形態の他の実現可能な方式において、前記方法は、
前記ネットワークデバイスが前記端末デバイスに第２の情報を送信することを含み、前記第２の情報は、前記端末デバイスが参照信号を送信する参照ポイントを示す。
【００５７】
第３の形態又は第３の形態の実現可能な方式と結合し、第３の形態の他の実現可能な方式において、前記第２の情報は、システム放送メッセージ、ランダムアクセス応答メッセージ又はＲＲＣ専用シグナリングに搬送される。
【００５８】
第３の形態又は第３の形態の実現可能な方式と結合し、第３の形態の他の実現可能な方式において、１つの前記参照ポイントは、複数の同期信号ブロックの１つの同期信号ブロックが占用する周波数ポイントである。
【００５９】
第３の形態又は第３の形態の実現可能な方式と結合し、第３の形態の他の実現可能な方式において、前記第１の情報は、システム放送メッセージ、ランダムアクセス応答メッセージ又はＲＲＣ専用シグナリングに搬送される。
【００６０】
第３の形態又は第３の形態の実現可能な方式と結合し、第３の形態の他の実現可能な方式において、前記ネットワークデバイスが前記端末デバイスに対して周波数領域リソース割り当て及び／又は帯域幅部分構成を行うことは、
前記参照ポイントに従って、前記端末デバイスの能力情報及び／又はネットワークの現在サービス状況を参照し、前記端末デバイスに対して周波数領域リソース割り当て及び／又は帯域幅部分構成を行うことを含む。
【００６１】
第３の形態又は第３の形態の実現可能な方式と結合し、第３の形態の他の実現可能な方式において、構成される前記周波数領域リソース及び／又は帯域幅部分は、前記端末デバイスにページングメッセージを送信するために使用される。
【００６２】
第４の形態は、無線通信方法を提供し、
端末デバイスがネットワークデバイスにより送信された第１の情報を受信することと、
前記参照ポイントに従って、前記端末デバイスが、前記ネットワークデバイスが前記端末デバイスに対して周波数領域リソース割り当て及び/又は帯域幅部分構成を行う参照ポイントを確定することとを含み、前記第１の情報は、前記ネットワークデバイスが前記端末デバイスに対して周波数領域リソース割り当て及び/又は帯域幅部分構成を行う参照ポイントを示す。
【００６３】
第４の形態と結合し、第４の形態の実現可能な方式において、前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである。
【００６４】
第４の形態又は第４の形態の実現可能な方式と結合し、第４の形態の他の実現可能な方式において、前記第１の情報は、前記第１の参照ポイント及び前記第２の参照ポイントを示す。
【００６５】
第４の形態又は第４の形態の実現可能な方式と結合し、第４の形態の他の実現可能な方式において、前記第１の情報が前記第１の参照ポイントを示し、
前記参照ポイントに従って、前記端末デバイスが、前記ネットワークデバイスが前記端末デバイスに対して行う周波数領域リソース割り当て及び/又は帯域幅部分構成の参照ポイントを確定することは、
前記第１の参照ポイントに基づいて、前記ネットワークデバイスが前記端末デバイスに対して行う帯域幅部分構成を確定することと、
構成された帯域幅部分に基づいて、第２の参照ポイントを確定することと、
前記第２の参照ポイントに従って、前記ネットワークデバイスが前記端末デバイスに対して行う周波数領域リソース割り当てを確定することとを含む。
【００６６】
第４の形態又は第４の形態の実現可能な方式と結合し、第４の形態の他の実現可能な方式において、前記第２の参照ポイントは、構成された帯域幅部分の最も近い同期信号ブロックが占用する周波数ポイントである。
【００６７】
第４の形態又は第４の形態の実現可能な方式と結合し、第４の形態の他の実現可能な方式において、前記第１の参照ポイントと前記第２の参照ポイントとは、同じ参照ポイントであり、又は、
前記第１の参照ポイントと前記第２の参照ポイントとは、異なる参照ポイントである。
【００６８】
第４の形態又は第４の形態の実現可能な方式と結合し、第４の形態の他の実現可能な方式において、前記方法は、さらに、
前記ネットワークデバイスが参照信号を送信する第３の参照ポイント、及び構成される帯域幅部分に基づいて、前記端末デバイスが前記帯域幅部分に対応する参照信号部分を確定することを含む。
【００６９】
第４の形態又は第４の形態の実現可能な方式と結合し、第４の形態の他の実現可能な方式において、前記方法は、
前記端末デバイスが前記ネットワークデバイスにより送信された第２の情報を受信することを含み、前記第２の情報は、前記第３の参照ポイントを示す。
【００７０】
第４の形態又は第４の形態の実現可能な方式と結合し、第４の形態の他の実現可能な方式において、前記第２の情報は、システム放送メッセージ、ランダムアクセス応答メッセージ又はＲＲＣ専用シグナリングに搬送される。
【００７１】
第４の形態又は第４の形態の実現可能な方式と結合し、第４の形態の他の実現可能な方式において、１つの前記参照ポイントは、複数の同期信号ブロックの１つの同期信号ブロックが占用する周波数ポイントである。
【００７２】
第４の形態又は第４の形態の実現可能な方式と結合し、第４の形態の他の実現可能な方式において、前記第１の情報は、システム放送メッセージ、ランダムアクセス応答メッセージ又はＲＲＣ専用シグナリングに搬送される。
【００７３】
第４の形態又は第４の形態の実現可能な方式と結合し、第４の形態の他の実現可能な方式において、構成される前記周波数領域リソース及び／又は帯域幅部分は、前記端末デバイスにページングメッセージを送信するために使用される。
【００７４】
第５の形態は、無線通信方法を提供し、
ネットワークデバイスが第１の情報を送信することと、
前記第１の参照ポイントに従って、前記ネットワークデバイスが前記第１の端末デバイスに前記参照信号を送信することとを含み、前記第１の情報は、前記ネットワークデバイスが第１の端末デバイスに参照信号を送信する第１の参照ポイントを示す。
【００７５】
したがって、本願の実施例では、参照信号を送信するための参照ポイントは、ネットワークデバイスによって端末デバイスに指示され、参照ポイントの構成を柔軟に構成することができ、参照信号を送信するための参照ポイントは、ネットワークデバイスによって指示することで、複数の同期信号ブロックが存在するシーンに適用される。
【００７６】
さらに、異なる端末デバイスは同じ参照信号の参照ポイントを使用できるため、ネットワークデバイスが送信する同じ参照信号を多重化でき、異なる端末は異なる参照信号の参照ポイントを使用できるため、異なる端末に異なる参照信号を送信でき、上記の方法を使用して、参照信号を送信する柔軟性を得ることができる。
【００７７】
第５の形態と結合し、第５の形態の実現可能な方式において、前記第１の情報は、システム放送メッセージに搬送され、前記第１の端末デバイスは、前記ネットワークデバイスのカバレージエリア内の端末デバイスを含む。
【００７８】
第５の形態又は第５の形態の実現可能な方式と結合し、第５の形態の他の実現可能な方式において、前記第１のメッセージは、ランダムアクセス応答メッセージ又は無線リソース制御ＲＲＣ専用シグナリングに搬送される。
【００７９】
第５の形態又は第５の形態の実現可能な方式と結合し、第５の形態の他の実現可能な方式において、前記方法は、さらに、
前記ネットワークデバイスが第２の端末デバイスに第２の情報を送信することと、
前記第２の参照ポイントに従って、前記ネットワークデバイスが前記第２の端末デバイスに前記参照信号を送信することとを含み、前記第２の情報は、前記ネットワークデバイスが第１の端末デバイスに参照信号を送信する第２の参照ポイントを示す。
【００８０】
第５の形態又は第５の形態の実現可能な方式と結合し、第５の形態の他の実現可能な方式において、前記第１の参照ポイントと前記第２の参照ポイントとが同じであり、又は、
前記第１の参照ポイントと前記第２の参照ポイントとが異なる。
【００８１】
第５の形態又は第５の形態の実現可能な方式と結合し、第５の形態の他の実現可能な方式において、１つの前記参照ポイントは、複数の同期信号ブロックの１つの同期信号ブロックが占用する周波数ポイントである。
【００８２】
第６の形態は、無線通信方法を提供し、
端末デバイスがネットワークデバイスにより送信された第１の情報を受信することと、
前記第１の情報に基づいて、前記端末デバイスが、前記ネットワークデバイスが参照信号を送信する参照ポイントを確定することとを含み、前記第１の情報は、前記ネットワークデバイスが参照信号を送信する参照ポイントを示す。
【００８３】
第６の形態と結合し、第６の形態の実現可能な方式において、前記方法は、さらに、
前記参照ポイント、及び前記端末デバイスに構成された帯域幅部分に基づいて、前記端末デバイスが前記帯域幅部分に対応する参照信号部分を確定することを含む
第６の形態又は第６の形態の実現可能な方式と結合し、第６の形態の他の実現可能な方式において、前記第１の情報は、システム放送メッセージ、ランダムアクセス応答メッセージ又は無線リソース制御ＲＲＣ専用シグナリングに搬送される。
【００８４】
第６の形態又は第６の形態の実現可能な方式と結合し、第６の形態の他の実現可能な方式において、前記参照ポイントは、複数の同期信号ブロックの１つの同期信号ブロックが占用する周波数ポイントである。
【００８５】
第７の態様は、上記の第１の態様もしくはその任意の可能な実装、第３の態様もしくはその任意の可能な実装、または第５の態様もしくはその任意の可能な実装における方法を実行するためのネットワークデバイスを提供する。具体的には、ネットワークデバイスは、上記の第１の態様もしくはその任意の可能な実装、第３の態様もしくはその任意の可能な実装、または第５の態様もしくはその任意の可能な実装における方法を実行するための機能モジュールを含む。
【００８６】
第８の態様は、上記の第２の態様もしくはその任意の可能な実装、第４の態様もしくはその任意の可能な実装、または第６の態様もしくはその任意の可能な実装における方法を実行するための端末デバイスを提供する。具体的には、端末デバイスは、上記の第２の態様もしくはその任意の可能な実装、第４の態様もしくはその任意の可能な実装、または第６の態様もしくはその任意の可能な実装における方法を実行するための機能モジュールを含む。
【００８７】
第９の態様は、プロセッサと、メモリと、送受信機とを含むネットワークデバイスが提供される。プロセッサ、メモリ、および送受信機は、内部接続経路を介して互いに通信し、制御信号および/またはデータ信号を通信し、ネットワークデバイスに、上記の第１の態様もしくはその任意の可能な実装、第３の態様もしくはその任意の可能な実装、または第５の態様もしくはその任意の可能な実装における方法を実行させる。
【００８８】
第１０の態様では、プロセッサと、メモリと、送受信機とを含む端末デバイスが提供される。プロセッサ、メモリ、および送受信機は、内部接続経路を介して互いに通信し、制御信号および/またはデータ信号を通信し、端末デバイスに、上記の第２の態様もしくはその任意の可能な実装、第４の態様もしくはその任意の可能な実装、または第６の態様もしくはその任意の可能な実装における方法を実行させる。
【００８９】
第１１の態様は、上述の態様のいずれかまたはその可能な実施における方法を実行するための命令を含むコンピュータプログラムを記憶するためのコンピュータ可読媒体を提供する。
【００９０】
第１２の態様では、命令を含むコンピュータプログラム製品を提供し、コンピュータは、コンピュータプログラム製品の命令を実行すると、上記の態様のいずれかまたはその可能な実装の方法を実行する。具体的には、コンピュータプログラム製品は、上記の態様のいずれかの端末デバイス又はネットワークデバイス上で動作することができる。
【図面の簡単な説明】
【００９１】
【図１】本願の実施例における通信システムの模式図である。
【図２】本願の実施例における無線通信方法のフローチャートである。
【図３】本願の実施例における同期信号ブロック分布の模式図である。
【図４】本願の実施例における無線通信方法のフローチャートである。
【図５】本願の実施例における同期信号ブロック分布の模式図である。
【図６】本願の実施例における無線通信方法のフローチャートである。
【図７】本願の実施例における無線通信方法のフローチャートである。
【図８】本願の実施例における無線通信方法のフローチャートである。
【図９】本願の実施例における無線通信方法のフローチャートである。
【図１０】本願の実施例におけるネットワークデバイスのブロック図である。
【図１１】本願の実施例における端末デバイスのブロック図である。
【図１２】本願の実施例におけるシステムチップのブロック図である。
【図１３】本願の実施例における通信デバイスのブロック図である。
【発明を実施するための形態】
【００９２】
以下、本発明の実施例について図面を参照して説明するが、本発明は、この実施例に限定されるものではなく、本発明の技術的思想に基づく各種の変形が可能である。本願における実施例に基づいて、当業者が創造的な労働をすることなく得られる全ての他の実施例は、本願の保護範囲に属する。
【００９３】
本願の実施例の技術は、様々な通信システムに適用可能であり、例えば、Ｇｌｏｂａｌ Ｓｙｓｔｅｍ ｏｆ Ｍｏｂｉｌｅ ｃｏｍｍｕｎｉｃａｔｉｏｎ ( ＧＳＭ )方式、Ｃｏｄｅ Ｄｉｖｉｓｉｏｎ Ｍｕｌｔｉｐｌｅ Ａｃｃｅｓｓ ( ＣＤＭＡ )方式、Ｗｉｄｅｂａｎｄ Ｃｏｄｅ Ｄｉｖｉｓｉｏｎ Ｍｕｌｔｉｐｌｅ Ａｃｃｅｓｓ ( ＷＣＤＭＡ )方式、Ｇｅｎｅｒａｌ Ｐａｃｋｅｔ Ｒａｄｉｏ Ｓｅｒｖｉｃｅ ( ＧＰＲＳ )方式、Ｌｏｎｇ Ｔｅｒｍ Ｅｖｏｌｕｔｉｏｎ ( ＬＴＥ )方式、Ｆｒｅｑｕｅｎｃｙ Ｄｉｖｉｓｉｏｎ Ｄｕｐｌｅｘ ( ＦＤＤ )方式、Ｔｉｍｅ Ｄｉｖｉｓｉｏｎ Ｄｕｐｌｅｘ (ＴＤＤ )方式、Ｕｎｉｖｅｒｓａｌ Ｍｏｂｉｌｅ Ｔｅｌｅｃｏｍｍｕｎｉｃａｔｉｏｎ Ｓｙｓｔｅｍ (ＵＭＴＳ)方式、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ(ＷｉＭＡＸ)方式、又は将来の５Ｇ方式(新無線Ｎｅｗ Ｒａｄｉｏ、ＮＲ )方式等の無線通信方式を用いることができる。
【００９４】
図１は、本願の実施例が適用される無線通信システム１００を示す。無線通信システム１００は、ネットワークデバイス１１０を含み得る。ネットワークデバイス１００は、端末デバイスと通信するデバイスであってもよい。ネットワークデバイス１００は、特定の地理的エリアに通信カバレッジを提供し得、カバレッジエリア内に構成されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００９５】
当該無線通信システム１００は、ネットワークデバイス１１０のカバレージ内に構成された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、無線通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００９６】
任意選択で、端末デバイス１２０間の端末直接( Ｄ２Ｄ )通信が行われてもよい。
【００９７】
任意選択で、５Ｇシステムまたはネットワークは、Ｎｅｗ Ｒａｄｉｏ(ＮＲ)システムまたはネットワークと呼ばれることもある。
【００９８】
図１は、１つのネットワークデバイス及び２つの端末デバイスを例示的に示し、任意選択で、当該無線通信システム１００は、複数のネットワークデバイスを含み、各ネットワークデバイスのカバレージ内に他の数の端末デバイスを含んでもよく、本願の実施例は、これに限定されない。
【００９９】
任意選択で、当該無線通信システム１００は、ネットワークコントローラ、モビリティ管理エンティティなどの他のネットワークエンティティをさらに含むことができ、本願の実施例はこれに限定されない。
【０１００】
本明細書において、「システム」および「ネットワーク」という用語は、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【０１０１】
５Ｇシステムにおいて、ネットワークデバイスは、複数の同期信号ブロック( Ｓｙｎｃｈｒｏｎｉｚａｔｉｏｎ Ｓｉｇｎａｌ ＢＬＯＣＫ )を含むＳＳ ｂｕｒｓｔ ｓｅｔを端末デバイスに送信することができ、各ＳＳ ＢＬＯＣＫ内に、一次同期信号( Ｐｒｉｍａｒｙ Ｓｙｎｃｈｒｏｎｉｚａｔｉｏｎ Ｓｉｇｎａｌ、ＰＳＳ )、二次同期信号( Ｓｅｃｏｎｄａｒｙ Ｓｙｎｃｈｒｏｎｉｚａｔｉｏｎ Ｓｉｇｎａｌ、ＳＳＳ )、物理ブロードキャストチャネル( Ｐｈｙｓｉｃａｌ Ｂｒｏａｄｃａｓｔｉｎｇ Ｃｈａｎｎｅｌ、ＰＢＣＨ )を含む。また、ＳＳ  ｂｌｏｃｋのシステム帯域幅内の周波数位置は、システム帯域幅の中心周波数ポイント位置に限定されない。端末デバイスは、システム帯域幅内で、ＳＳ  ｂｌｏｃｋを検索し時間周波数同期を取得し、ＰＢＣＨ情報を取得し、無線リソース管理( Ｒａｄｉｏ Ｒｅｓｏｕｒｃｅ Ｍａｎａｇｅｍｅｎｔ、ＲＲＭ )測定を行う。
【０１０２】
５Ｇシステムの場合、４００ＭＨｚまたは１ＧＨｚの帯域幅を持つ帯域幅メンバーキャリアなど、広い帯域幅を持つ帯域幅メンバーキャリアをサポートできる。帯域幅メンバーキャリア内の周波数領域で複数のＳＳ  ｂｌｏｃｋを伝送できる。将来の５Ｇシステムが帯域幅メンバーキャリア内の周波数領域で複数のＳＳ  ｂｌｏｃｋの伝送をサポートする場合、端末は、複数のＳＳ  ｂｌｏｃｋのいずれかを検索してシステムにアクセスする可能性がある。
【０１０３】
本発明は、上記の問題点に鑑みてなされたものであり、帯域幅メンバーキャリア上に複数の同期信号ブロックが存在する場合に、どのように端末デバイスに対する周波数領域リソース割り当て、帯域幅部分構成、及び/又は参照信号の送信についての技術案を提供する。
【０１０４】
任意選択で、本願の実施例において、システム帯域幅は、複数の帯域幅部分( Ｂａｎｄ Ｐａｒｔ、ＢＰ )を含み得る。
【０１０５】
任意選択で、当該複数の帯域幅部分の帯域幅サイズは、同じであっても異なっていてもよい。
【０１０６】
任意選択で、複数の帯域幅部分は、帯域幅サイズが異なる場合、完全に重複されなくてもよい。または、より大きい帯域幅部分に小さい帯域幅部分が入っている場合、小さい帯域幅部分の中心周波数ポイントと大きい帯域幅部分の中心周波数ポイントとは、重複していてもよく、重複していなくてもよい。
【０１０７】
任意選択で、当該複数の帯域幅部分のうちの隣接する２つの帯域幅部分は、隙間がなく、重なりがなくてもよい。あるいは、隣接する２つの帯域幅部分は、部分的に重複してもよい。
【０１０８】
あるいは、本願の実施例において、周波数領域リソース割り当てが割り当てられる周波数領域リソースは、構成された帯域幅部分における周波数領域リソースであってよく、割り当てられる周波数領域リソースは、周波数領域リソースユニット(例えば、１つの物理リソースブロック( Ｐｈｙｓｉｃａｌ Ｒｅｓｏｕｒｃｅ Ｂｌｏｃｋ、ＰＲＢ )が占有する周波数領域リソース)を単位としてよい。
【０１０９】
任意選択で、本願の実施例では、端末デバイスのデータ送信のために周波数領域リソース割り当てを使用することができる。ネットワークデバイスは、端末デバイスが現在送信しているデータ量に応じて周波数領域のリソースの割り当てを行うことができる。
【０１１０】
任意選択で、本願の実施例において、端末デバイスに構成された帯域幅部分は半静的であり、ネットワークデバイスは、端末デバイスの能力に応じて、端末デバイスに帯域幅部分を構成してもよい。
【０１１１】
任意選択で、本願の実施例において、端末デバイスのデータ量に応じて、対応する帯域幅部分を構成し、例えば、小さいデータ量の送信に対して、小さい帯域幅部分を構成することもでき、多いデータ量の送信に対して、大きい帯域幅部分、又は全体の帯域幅まで構成することもできる。
【０１１２】
任意選択で、本願の実施例では、端末デバイスに対する帯域幅部分の構成及び/又は周波数領域リソースの割り当ては、端末デバイスによって検出された同期信号ブロックを参照してもよい。以下、図２に示す方法２００に関連して詳細に説明する。
【０１１３】
図２は本願の実施例における無線通信方法２００のフローチャートである。図２に示すように、当該方法２００は、２１０及び２２０を含む。
【０１１４】
２１０において、ネットワークデバイスが端末デバイスにより送信された第１のメッセージを受信し、前記第１のメッセージは、前記端末デバイスが第１の同期信号ブロックを検出したことを示す。
【０１１５】
任意選択で、本願の実施例において、第１のメッセージは、端末デバイスによって検出された第１の同期信号ブロックを表示または暗黙的に示すことができる。
【０１１６】
一実現方式においてにおいて、前記第１のメッセージには前記第１の同期信号ブロックのインデックスが含まれる。
【０１１７】
具体的には、ＳＳ  ｂｌｏｃｋがネットワークに複数配置されており、端末デバイスがあるＳＳ  ｂｌｏｃｋを検索した後にＳＳ  ｂｌｏｃｋのインデックスを取得できた場合、端末デバイスは、検索されたＳＳ  ｂｌｏｃｋのインデックスを端末デバイスにシグナリングして報告することができる。シグナリングは、無線リソース制御( Ｒａｄｉｏ Ｒｅｓｏｕｒｃｅ Ｃｏｎｔｒｏｌ、ＲＲＣ )接続要求であってもよい。
【０１１８】
任意選択で、ネットワークデバイスは、ＳＳ  ｂｌｏｃｋと紐付けられたシステムメッセージにより、端末デバイスにＳＳ  ｂｌｏｃｋの周波数のインデックス情報を予め通知してもよい。
【０１１９】
一実現方式において、前記第１のメッセージが占用するリソースを介して前記第１の同期信号ブロックを前記ネットワークデバイスに指示する。
【０１２０】
具体的には、本願の実施例において、端末デバイスは、検出された第１の同期信号ブロックに基づいて、第１のメッセージを伝送するリソースを確定し、第１のメッセージを伝送するリソースを介して、端末デバイスによって検出された同期信号ブロックをネットワークデバイスに示し、ネットワークデバイスは、第１のメッセージを伝送するリソースに基づいて、端末デバイスによって検出された同期信号ブロックを確定することができる。
【０１２１】
任意選択で、本願の実施例において、端末デバイスは、複数の第１のメッセージが占用するリソースと複数の同期信号ブロックとの対応関係に基づいて、当該第１のメッセージを送信するリソースを確定することができる。これに対応し、ネットワークデバイスは、複数の第１のメッセージが占用するリソースと複数の同期信号ブロックと対応関係、及び当該第１のメッセージを受信するリソースに基づいて、端末デバイスにより検出された同期信号ブロックを確定することができる。
【０１２２】
任意選択で、本願の実施例において、ネットワークデバイスは、複数の前記第１のメッセージが占用するリソースと複数の同期信号ブロックとの対応関係を端末デバイスに示すことができる。任意選択で、当該対応関係は、放送メッセージにおいて端末デバイスに放送する。
【０１２３】
任意選択で、当該第１のメッセージは、ランダムアクセス手順のメッセージ、例えば、ＭＳＧ１又はＭＳＧ３であってもよい。
【０１２４】
任意選択で、本願の実施例において、当該第１のメッセージがランダムアクセス要求メッセージである場合、前記第１のメッセージは、含まれるランダムアクセスプリアンブルを介して前記ネットワークデバイスに端末デバイスにより検出された前記第１の同期信号ブロックを通知する。
【０１２５】
具体的に、本願の実施例において、端末デバイスは、検出された当該第１の同期信号ブロックに基づいて、ランダムアクセスプリアンブルを確定し、ランダムアクセス要求メッセージに当該ランダムアクセスプリアンブルを含み、ネットワークデバイスは、ランダムアクセス要求メッセージに含まれるランダムアクセスプリアンブルに基づいて、端末デバイスにより検出された同期信号ブロックを確定することができる。
【０１２６】
任意選択で、本願の実施例において、端末デバイスは、複数のランダムアクセスプリアンブルと複数の同期信号ブロックとの対応関係に基づいて、検出される同期信号ブロックに対応するランダムアクセスプリアンブルを確定することができる。これに対応し、ネットワークデバイスは、複数のランダムアクセスプリアンブルと複数の同期信号ブロックとの対応関係、及び受信したランダムアクセスプリアンブルに基づいて、端末デバイスが検出した同期信号ブロックを確定することができる。
【０１２７】
任意選択で、本願の実施例において、ネットワークデバイスは、当該複数のランダムアクセスプリアンブルと複数の同期信号ブロックとの対応関係を端末デバイスに指示する。任意選択で、当該対応関係は、放送メッセージを介して端末デバイスに放送する。
【０１２８】
２２０において、前記第１の同期信号ブロックに基づいて、前記ネットワークデバイスが前記端末デバイスに対して周波数領域リソース割り当て及び／又は帯域幅部分構成を行う。
【０１２９】
任意選択で、本願の実施例において、前記第１の同期信号ブロックが占用する周波数ポイントに基づいて、前記ネットワークデバイスが前記端末デバイスに対して周波数領域リソース割り当て及び／又は帯域幅部分構成を行う。
【０１３０】
任意選択で、本願の実施例に記載された同期信号ブロックが占用する周波数ポイントは、同期信号ブロックが占用する中心周波数ポイント、上周波数ポイント又は下周波数ポイントであってもよい。
【０１３１】
任意選択で、本願の実施例において、前記第１の同期信号ブロックが占用する周波数ポイントに基づいて、ネットワークデバイスが参照ポイントを確定し、前記参照ポイントに従って、前記ネットワークデバイスが前記端末デバイスに対して周波数領域リソース割り当て及び／又は帯域幅部分構成を行う。
【０１３２】
一実現方式において、ネットワークデバイスは、当該第１の同期信号ブロックが占用する周波数ポイントを、参照ポイントとして確定してもよい。
【０１３３】
一実現方式において、ネットワークデバイスは、前記第１の同期信号ブロックが占用する周波数ポイントに基づいて、第２の同期信号ブロックを確定し、前記第２の同期信号ブロックが占用する周波数ポイントに基づいて、ネットワークデバイスが前記参照ポイントを確定する。
【０１３４】
具体的には、ネットワークデバイスは、第１の同期信号ブロックと端末デバイスに割り当てる周波数領域リソースとの間隔が所定値以上であることを検出した場合に、第２の同期信号ブロックを確定する。ネットワークデバイスは、この第２の同期信号ブロックが占有する周波数ポイントに基づいて、当該参照ポイントを確定する。
【０１３５】
したがって、このような実現形態によって、端末デバイスに周波数領域リソースを割り当てる又は帯域幅を配置する際に、参照ポイントから割り当てられた周波数領域リソース又は構成された帯域幅部分までの間隔が大きすぎて、多くのフィールド指示が必要となることによるシグナリングオーバーヘッドが過大になることを回避することができる。
【０１３６】
任意選択で、ネットワークデバイスは、第２の同期信号ブロックが占用する周波数ポイントを、周波数領域リソース割り当て及び／又は帯域幅部分構成に使用される参照ポイントとして確定することができる。
【０１３７】
任意選択で、本願の実施例では、周波数領域リソース割り当てのための参照ポイント(第２の参照ポイントと呼ぶことができる)と、帯域幅部分構成のための参照ポイント(第１の参照ポイントと呼ぶことができる)とは、同じ参照ポイントであってもよいし、異なる参照ポイントであってもよい。
【０１３８】
例えば、第１の同期信号ブロックが占有する周波数ポイントを、周波数領域リソース割り当てを行うための参照ポイントとして直接確定し、さらに帯域幅部分構成を行う参照ポイントとして確定することができる。
【０１３９】
例えば、ネットワークデバイスは、第１の同期信号ブロックが占める周波数ポイントを帯域幅部分構成のための参照ポイントとして確定し、構成された帯域幅部分に基づいて周波数領域リソース割り当てのための参照ポイントを確定することができる。ここで、構成された帯域幅部分に基づいて、周波数領域リソース割り当てのための参照ポイントを確定することは、構成された帯域幅部分に最も近い同期信号ブロックが占める周波数ポイントを、周波数領域リソース割り当てを行うための参照ポイントとして確定することであってもよいし、あるいは、構成された帯域幅部分からの周波数領域距離が所定値以下である同期信号ブロックの中から、同期信号ブロックを確定し、確定された同期信号ブロックに基づいて、周波数領域リソース割り当てを行うための参照ポイントを確定することであってもよい。
【０１４０】
例えば、第２の同期信号ブロックが占有する周波数ポイントを帯域幅部分構成のための参照ポイントとして確定し、構成された帯域幅部分に基づいて周波数領域リソース割り当てのための参照ポイントを確定することができる。ここで、構成された帯域幅部分に基づいて、周波数領域リソース割り当てのための参照ポイントを確定することは、構成された帯域幅部分に最も近い同期信号ブロックが占める周波数ポイントを、周波数領域リソース割り当てを行うための参照ポイントとして確定することであってもよいし、あるいは、構成された帯域幅部分からの周波数領域距離が所定値以下である同期信号ブロックの中から、同期信号ブロックを確定し、確定された同期信号ブロックに基づいて、周波数領域リソース割り当てを行うための参照ポイントを確定することであってもよい。
【０１４１】
理解を容易にするため、図３を例に挙げて以下に詳述する。
【０１４２】
例えば、図３に示すように、広帯域メンバーキャリア内に２つの同期信号ブロック( ＳＳ  ｂｌｏｃｋ、ＳＳＢ )位置を分散させ、端末デバイスの検出されたＳＳＢがＳＳＢ１であるとネットワークデバイスが判断した場合、ネットワークデバイスは、ＳＳＢ１が位置する周波数ポイントを参照ポイントとして、帯域幅部分０又は帯域幅部分１を端末に設定し、帯域幅部分０又は帯域幅部分１で端末デバイスにサービススケジューリング(周波数領域リソース割り当てを含む)を行うことができる。
【０１４３】
任意選択で、端末デバイスが検索したＳＳＢ１を前述の方法でネットワークデバイスに通知し、ネットワークデバイスが端末デバイスに帯域幅部分２を構成したい場合、ネットワークデバイスは、ＳＳＢ２が位置する周波数ポイントを端末デバイスの参照ポイントとしてもよい。このように、ＳＳＢ１が存在する周波数ポイントを参照ポイントとして、ネットワークデバイスは、帯域幅部分２を端末デバイスに構成し、帯域幅部分２で端末デバイスにサービススケジューリングを行うことができる。
【０１４４】
このような動作により、端末が動作する帯域幅部分の柔軟な構成と柔軟なリソース割り当ての周波数参照ポイントを提供しつつ、ネットワークは周波数参照ポイントの選択により周波数参照ポイントと実際に割り当てられた周波数リソースとの周波数間隔を減少させることができるので、下り制御チャネルにおけるリソース指示シグナリングオーバーヘッドの削減を効果的に実現することができる。
【０１４５】
任意選択で、本願の実施例において、帯域幅部分構成または周波数領域リソースの割り当てを行う参照ポイントが、第２の同期信号ブロックが占有される周波数ポイントであると確定する場合、参照ポイントの確定の基となる同期信号ブロックが変更されることにより、端末デバイスに帯域幅部分構成または周波数領域リソースの割り当てを行う参照ポイントを指示することができ、ここで、端末デバイスに参照ポイントを指示し、その参照ポイントが占有する周波数ポイントを端末デバイスに直接通知してもよいし、参照ポイントの確定の基となる第２の同期信号ブロックを端末デバイスに通知してもよい。ここで、該指示情報は、ランダムアクセス応答メッセージに搬送されてもよく(この場合、上記第１のメッセージは、ランダムアクセス要求メッセージであってもよい)、又はＲＲＣ専用シグナリング(例えば、ＲＲＣコネクション確立応答メッセージであり、この場合、第１のメッセージは、ＲＲＣコネクション確立要求メッセージであってもよい)に搬送されてもよい。
【０１４６】
任意選択で、本発明の実施例に係るＲＲＣ専用シグナリングは、ＲＲＣ接続確立コマンド又はＲＲＣ再構成コマンドを含むことができる。
【０１４７】
任意選択で、本願の実施例において、ネットワークデバイスが情報を送信し、前記情報は、複数の同期信号ブロックの間の周波数領域関係を示し、前記複数の同期信号ブロックは、第１の同期信号ブロックと前記第２の同期信号ブロックを含む。
【０１４８】
これにより、端末デバイスは、周波数領域関係と、第１の同期信号ブロックが占める周波数ポイントとから、第２の同期信号ブロックが占める周波数ポイントを確定することができ、ネットワークデバイスが、参照ポイントを特定する同期信号ブロックが第２の同期信号ブロックであることを端末デバイスに通知すると、端末デバイスは、ネットワークデバイスと同様の規則に基づいて、ネットワークデバイスが当該端末デバイスに対して周波数領域リソース割り当て及び/又は帯域幅部分構成を行う参照ポイントを確定することができる。
【０１４９】
任意選択で、本願の実施例において、端末デバイスが参照ポイントを直接に確定する同期信号ブロックを変更しない場合、端末デバイスに指示情報を送信し、ネットワークデバイスが端末デバイスに対して周波数領域リソース割り当て及び／又は帯域幅部分構成を行う参照ポイントを指示し、ここで、端末デバイスに参照ポイントを通知し、当該参照ポイントが占用する周波数ポイントを端末デバイスに直接に通知してもよいし、端末デバイスに確認メッセージを送信してもよく、ネットワークデバイスは、端末デバイスが検出した同期信号ブロックに基づいて参照ポイントを確定する。ここで、当該指示情報は、ランダムアクセス応答メッセージ（ここで、上記の第１のメッセージは、ランダムアクセス要求メッセージであってもよい）に搬送され、又は、ＲＲＣ専用シグナリング（例えば、ＲＲＣ接続応答メッセージ、この時、第１のメッセージは、ＲＲＣ接続確立要求メッセージであってもよい）に搬送される。
【０１５０】
任意選択で、本願の実施例において、前記ネットワークデバイスが前記端末デバイスに情報を送信し、前記情報は、割り当てるリソースサイズ及び／又は前記参照ポイントに対するオフセット、及び／又は、構成される帯域幅部分の数及び／又は前記参照ポイントに対するオフセットを示す。これに対応し、端末デバイスは、ネットワークデバイスにより送信された当該情報及び参照ポイントに基づいて、ネットワークデバイスが当該端末デバイスに割り当てた周波数領域リソース及び/又は構成された帯域幅部分を確定する。
【０１５１】
ここで、割り当てるリソースの参照ポイントに対するオフセットは、参照ポイントに対する割り当てるリソースの上周波数のポイントのオフセット、参照ポイントに対する割り当てるリソースの中心周波数のポイントのオフセット、または参照ポイントに対する割り当てるリソースの下周波数のポイントのオフセットであってもよい。
【０１５２】
ここで、参照ポイントに対する構成された帯域幅部分のオフセットは、参照ポイントに対する構成された帯域幅部分の上周波数ポイントのオフセット、参照ポイントに対する構成された帯域幅部分の中心周波数ポイントのオフセット、または参照ポイントに対する構成された帯域幅部分の下周波数点のオフセットであってもよい。
【０１５３】
任意選択で、本願の実施例において、ネットワークデバイスは、前記端末デバイスの能力情報及び／又はネットワークの現在サービス状況を参照し、前記端末デバイスに対して周波数領域リソース割り当て及び／又は帯域幅部分構成を行う。
【０１５４】
例えば、ネットワークデバイスは、端末デバイスの能力情報、端末デバイスによって現在送信される必要があるデータ量、及び/または、(負荷バランスを考慮するために)様々な帯域幅および/またはリソースが他の端末デバイスによって占有されていることに関連して、端末デバイスに対する周波数領域リソース割り当ておよび/または帯域幅部分構成を行うことができる。
【０１５５】
任意選択で、本願の実施例において、ネットワークデバイスは、第３の参照ポイントで端末デバイスに参照信号を送信する。
【０１５６】
任意選択で、本願の実施例において、ネットワークデバイスは、第３の参照ポイントを開始点とし、周波数の側に参照信号を送信する。
【０１５７】
あるいは、本願の実施例において、ネットワークデバイスは、参照ポイントに基づいて、両側周波数に参照信号を送信してもよい。
【０１５８】
あるいは、第３の参照ポイントから所定の周波数範囲において参照信号を送信する必要がない場合、第３の参照ポイントを起点として参照信号が送信されたままであるが、所定の周波数範囲においては送信を行わず、他の周波数範囲において残り参照信号を送信するようにしてもよい。
【０１５９】
例えば、第３の参照ポイントの周波数位置が２０ＭＨｚであり、ネットワークデバイスによって送信される完全な参照信号が２０ＭＨｚを占める必要がある場合、端末のための割り当てられた周波数点は、０〜１０ＭＨｚの周波数範囲にある。１つの方法は、０〜２０ＭＨｚの範囲内で参照信号を送信できることであり、もう１つの方法は、あるシナリオにおいて、１０ＭＨｚ〜２０ＭＨｚでは、参照系列を送信する必要がない(例えば、帯域幅内で端末にデータ及び参照信号を送信する必要がない)ので、参照信号を構成する参照系列部分ａ (本来、１０ＭＨｚ〜２０ＭＨｚを占める)は、送信されなく、０ＭＨｚ〜１０ＭＨｚの範囲内で、参照信号のうちの参照信号部分ｂ (参照信号部分ａ及び参照信号部分ｂは、完全な参照信号を構成する)を送信する。
【０１６０】
任意選択で、本願の実施例において、端末デバイスは、構成された帯域幅の範囲内で参照信号の受信を行うことができる。
【０１６１】
任意選択で、本願の実施例において、端末デバイスは、前記ネットワークデバイスが参照信号を送信する第３の参照ポイント、及び構成される帯域幅部分に基づいて、前記帯域幅部分に対応する参照信号部分を参照し、プロトコル系列とし、構成された帯域幅部分で参照信号の受信を行い、そのローカル系列及び受信した参照信号によりチャネル測定を行い、対応するチャネル品質を得ることができる。
【０１６２】
任意選択で、本願の実施例において、ネットワークデバイスは、端末デバイスに情報を送信し、当該第３の参照ポイントを通知する。
【０１６３】
任意選択で、本願の実施例において、当該第３の参照ポイントと第１の参照ポイント及び／又は第２の参照ポイントとは、同じ参照ポイントであってもよい。
【０１６４】
任意選択で、本願の実施例において当該第３の参照ポイントは、放送でメッセージを端末デバイスに通知し、この時、当該放送メッセージ範囲内の端末デバイスは、同じ第３の参照ポイントを共用することができる。
【０１６５】
任意選択で、本願の実施例において、当該第３の参照ポイントは、ランダムアクセス応答メッセージ又はＲＲＣ専用シグナリング（ＲＲＣ接続確立応答メッセージ）を介して端末デバイスに通知し、この時、複数の端末デバイスに対応する第３の参照ポイントは、同じであってもよいし、異なってもよい。
【０１６６】
したがって、本願の実施例では、ネットワークデバイスは、端末デバイスによって現在検出された同期信号ブロックを参照し、端末デバイスに周波数領域リソース割り当ておよび/または帯域幅部分構成を行い、柔軟な周波数領域リソース割り当ておよび/または帯域幅部分構成を実現することができる。
【０１６７】
なお、本願の実施例では、同期信号ブロックから周波数領域リソース割り当てや帯域幅部分構成の参照ポイントを確定する場合について主に説明したが、これに限定されるものではなく、例えば、ネットワークデバイスが、端末デバイスで検出された同期信号ブロックから端末デバイスの動作状況を確定し、動作状況に応じて周波数領域リソース割り当てやシステム帯域幅の構成等を行うようにしてもよい。
【０１６８】
図４は本願の実施例における無線通信方法３００のフローチャートである。図４に示すように、当該方法は３１０及び３２０を含む。
【０１６９】
３１０において、ネットワークデバイスが第１の情報を送信し、前記第１の情報は、前記ネットワークデバイスが端末デバイスに対して周波数領域リソース割り当て及び／又は帯域幅部分構成を行う参照ポイントを示す。任意選択で、前記第１の情報は、システム放送メッセージ、ランダムアクセス応答メッセージ又はＲＲＣ専用シグナリングに搬送される。
【０１７０】
３２０において、前記参照ポイントに従って、前記ネットワークデバイスが端末デバイスに対して周波数領域リソース割り当て及び／又は帯域幅部分構成を行う。
【０１７１】
任意選択で、本願の実施例において、前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである。
【０１７２】
任意選択で、本願の実施例において、前記第１の参照ポイントと前記第２の参照ポイントとは、同じ参照ポイントであり、又は、前記第１の参照ポイントと前記第２の参照ポイントとは、異なる参照ポイントである。
【０１７３】
任意選択で、本願の実施例において、前記第１の情報は、前記第１の参照ポイント及び前記第２の参照ポイントを示す。
【０１７４】
任意選択で、本願の実施例において、前記第１の情報が第１の参照ポイントを示し、前記第１の参照ポイントに基づいて、帯域幅部分構成を行うことと、構成された帯域幅部分に基づいて、第２の参照ポイントを確定することと、前記第２の参照ポイントに従って、周波数領域リソース割り当てを行うこととを含む。ここで、前記第２の参照ポイントは、構成された帯域幅部分に最も近い同期信号ブロックが占用する周波数ポイントである。
【０１７５】
任意選択で、本願の実施例において、第３の参照ポイントに従って、前記ネットワークデバイスが前記端末デバイスに参照信号を送信することを含む。
【０１７６】
任意選択で、本願の実施例において、前記ネットワークデバイスが前記端末デバイスに情報を送信し、前記情報は、前記端末デバイスが参照信号を送信する参照ポイントを示す。ここで、前記情報は、システム放送メッセージ、ランダムアクセス応答メッセージ又はＲＲＣ専用シグナリングに搬送されてもよい。
【０１７７】
任意選択で、本願の実施例において、１つの前記参照ポイントは、複数の同期信号ブロックの１つの同期信号ブロックが占用する周波数ポイントである。
【０１７８】
任意選択で、本願の実施例において、前記参照ポイントに従って、前記端末デバイスの能力情報及び／又はネットワークの現在サービス状況を参照し、前記端末デバイスに対して周波数領域リソース割り当て及び／又は帯域幅部分構成を行う。
【０１７９】
任意選択で、構成される前記周波数領域リソース及び／又は帯域幅部分は、前記端末デバイスにページングメッセージを送信するために使用される。
【０１８０】
任意選択で、本願の実施例において、ネットワークデバイスは、端末デバイスのタイプに応じて、端末デバイスに対して周波数領域リソース割り当て及び／又は帯域幅部分構成を行う参照ポイントを確定することができる。
【０１８１】
ここで、ネットワークデバイスは、ページングメッセージ送信の参照ポイントとして、端末のタイプが異なる場合、異なるＳＳＢを選択することができる。例えば、図５で説明したように、ネットワークデバイスは、帯域幅が２０ＭＨｚ以下の端末に対しては、ページングメッセージ送信の参照ポイントとしてインデックスが１のＳＳＢを選択し、狭帯域のページングメッセージを送信することができる。２０ＭＨｚより大きい帯域幅を有する端末の場合、ネットワークデバイスは、インデックスが２であるＳＳＢをページングメッセージ送信のための参照ポイントの広帯域ページングメッセージとして選択することができる。
【０１８２】
任意選択で、本願の実施例において、第３の参照ポイントに従って、前記ネットワークデバイスが前記端末デバイスに参照信号を送信することを含む。
【０１８３】
任意選択で、前記ネットワークデバイスが前記端末デバイスに情報を送信し、前記情報は、前記端末デバイスが参照信号を送信する前記第３の参照ポイントを示す。
【０１８４】
したがって、本願の実施例では、ネットワークデバイスは、周波数領域リソース割り当て及び／又は帯域幅部分構成を行う参照ポイントを端末デバイスに指示することで、参照ポイントは柔軟に構成することができ、システム内の固定参照ポイントの使用を回避し、システム帯域幅が大きい場合、システム帯域幅の中心周波数ポイントを参照ポイントとして固定的に使用されることにより、端末デバイスに指示されて割り当てた周波数領域リソースおよび/または構成された帯域幅部分が長いフィールドを要し、シグナリングのオーバーヘッドが増加されること回避することができる。さらに、ネットワークデバイスにより周波数領域リソース割り当て及び／又は帯域幅部分構成を行うように指示された参照ポイントは、複数の同期信号ブロックが存在するシーンに適用できる。
【０１８５】
図６は本願の実施例における無線通信方法４００のフローチャートである。図６に示すように、当該方法は、４１０及び４２０を含む。
【０１８６】
４１０において、ネットワークデバイスが第１の情報を送信し、前記第１の情報は、前記ネットワークデバイスが第１の端末デバイスに参照信号を送信する第１の参照ポイントを示す。
【０１８７】
４２０において、前記第１の参照ポイントに従って、前記ネットワークデバイスが前記第１の端末デバイスに前記参照信号を送信する。
【０１８８】
任意選択で、前記第１の情報は、システム放送メッセージに搬送され、前記第１の端末デバイスは、前記ネットワークデバイスのカバレージエリア内の端末デバイスを含む。
【０１８９】
任意選択で、前記第１のメッセージは、ランダムアクセス応答メッセージ又は無線リソース制御ＲＲＣ専用シグナリングに搬送される。
【０１９０】
任意選択で、前記ネットワークデバイスが第２の端末デバイスに第２の情報を送信することと、前記第２の参照ポイントに従って、前記ネットワークデバイスが前記第２の端末デバイスに前記参照信号を送信することとを含み、前記第２の情報は、前記ネットワークデバイスが第１の端末デバイスに参照信号を送信する第２の参照ポイントを示す。
【０１９１】
任意選択で、前記第１の参照ポイントと前記第２の参照ポイントとが同じであり、又は、
前記第１の参照ポイントと前記第２の参照ポイントとが異なる。
【０１９２】
任意選択で、１つの前記参照ポイントは、複数の同期信号ブロックの１つの同期信号ブロックが占用する周波数ポイントである。
【０１９３】
したがって、本願の実施例では、参照信号を送信するための参照ポイントは、ネットワークデバイスによって端末デバイスに指示され、参照ポイントの構成を柔軟に構成することができ、参照信号を送信するための参照ポイントは、ネットワークデバイスによって指示することで、複数の同期信号ブロックが存在するシーンに適用される。
【０１９４】
さらに、異なる端末デバイスは同じ参照信号の参照ポイントを使用できるため、ネットワークデバイスが送信する同じ参照信号を多重化でき、異なる端末は異なる参照信号の参照ポイントを使用できるため、異なる端末に異なる参照信号を送信でき、上記の方法を使用して、参照信号を送信する柔軟性を得ることができる。
【０１９５】
図７は本願の実施例における無線通信方法５００のフローチャートである。図７に示すように、無線通信方法５００は、５１０及び５２０を含む。
【０１９６】
５１０において、端末デバイスがネットワークデバイスに第１のメッセージを送信し、前記第１のメッセージは、前記端末デバイスが第１の同期信号ブロックを検出したことを示す。
【０１９７】
５２０において、前記第１の同期信号ブロックに基づいて、前記端末デバイスが、前記ネットワークデバイスが前記端末デバイスに対して行う周波数領域リソース割り当て及び／又は帯域幅部分構成を確定する。
【０１９８】
任意選択で、前記第１の同期信号ブロックが占用する周波数ポイントに基づいて、前記端末デバイスが、前記ネットワークデバイスが前記端末デバイスに対して行う周波数領域リソース割り当て及び／又は帯域幅部分構成を確定する。
【０１９９】
任意選択で、前記第１の同期信号ブロックが占用する周波数ポイントに基づいて、前記ネットワークデバイスが前記端末デバイスに対して行う周波数領域リソース割り当て及び／又は帯域幅部分構成の参照ポイントを確定し、前記参照ポイントに基づいて、前記端末デバイスが、前記ネットワークデバイスが前記端末デバイスに対して行う周波数領域リソース割り当て及び／又は帯域幅部分構成を確定する。
【０２００】
任意選択で、前記端末デバイスが前記第１の同期信号ブロックが占用する周波数ポイントを、前記参照ポイントとして確定する。
【０２０１】
任意選択で、前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである。
【０２０２】
任意選択で、前記第１の参照ポイントは、前記第１の同期信号ブロックが占用する周波数ポイントである。
【０２０３】
任意選択で、前記第２の参照ポイントは、構成された帯域幅部分の最も近い同期信号ブロックが占用する周波数ポイントである。
【０２０４】
任意選択で、前記第１の参照ポイントと前記第２の参照ポイントとは、同じ参照ポイントであり、又は、前記第１の参照ポイントと前記第２の参照ポイントとは、異なる参照ポイントである。 
【０２０５】
任意選択で、前記端末デバイスが前記ネットワークデバイスにより送信された情報を受信し、前記情報は、割り当てるリソースサイズ及び／又は前記参照ポイントに対するオフセット、及び／又は、 構成される帯域幅部分の数及び／又は前記参照ポイントに対するオフセットを示し、前記情報、及び前記参照ポイントに基づいて、前記端末デバイスが、前記ネットワークデバイスが前記端末デバイスに対して行う周波数領域リソース割り当て及び／又は帯域幅部分構成を確定する。
【０２０６】
任意選択で、端末デバイスは、前記ネットワークデバイスが参照信号を送信する第３の参照ポイント、及び構成される帯域幅部分に基づいて、前記帯域幅部分に対応する参照信号部分を確定する。
【０２０７】
任意選択で、前記端末デバイスは、前記ネットワークデバイスにより送信された情報を受信し、前記情報は、指示前記第３の参照ポイントを示す。
【０２０８】
任意選択で、前記第１のメッセージには前記第１の同期信号ブロックのインデックスが含まれる。
【０２０９】
任意選択で、前記第１のメッセージが占用するリソースを介して前記第１の同期信号ブロックを前記ネットワークデバイスに指示する。
【０２１０】
任意選択で、前記端末デバイスが前記ネットワークデバイスにより送信された情報を受信し、前記情報は、複数の前記第１のメッセージが占用するリソースと複数の同期信号ブロックとの対応関係を示し、前記情報が示す前記対応関係に基づいて、前記第１のメッセージを送信するリソースを確定し、確定された前記リソースにおいて、前記第１のメッセージを送信する。
【０２１１】
任意選択で、前記第１のメッセージは、ランダムアクセス手順のメッセージである。
【０２１２】
任意選択で、前記第１のメッセージがランダムアクセス要求メッセージであり、前記第１のメッセージは、それに含まれるランダムアクセスプリアンブルを介して前記第１の同期信号ブロックを前記ネットワークデバイスに指示する。
【０２１３】
任意選択で、前記端末デバイスが前記ネットワークデバイスにより送信された情報を受信し、前記情報は、複数のプリアンブルアクセスコードと複数の同期信号ブロックとの対応関係を示し、前記第１の同期信号ブロック、及び前記情報指示の対応関係に基づいて、ランダムアクセスプリアンブルを確定し、端末デバイスが前記ランダムアクセスプリアンブルが含まれる前記第１のメッセージを送信する。
【０２１４】
図８は本願の実施例における無線通信方法６００のフローチャートである。図８に示すように、当該方法６００は、６１０及び６２０を含む。
【０２１５】
６１０において、端末デバイスがネットワークデバイスにより送信された第１の情報を受信し、前記第１の情報は、前記ネットワークデバイスが前記端末デバイスに対して周波数領域リソース割り当て及び/又は帯域幅部分構成を行う参照ポイントを示す。前記第１の情報は、システム放送メッセージ、ランダムアクセス応答メッセージ又はＲＲＣ専用シグナリングに搬送される。
【０２１６】
６２０において、前記参照ポイントに従って、前記端末デバイスが、前記ネットワークデバイスが前記端末デバイスに対して周波数領域リソース割り当て及び/又は帯域幅部分構成を行う参照ポイントを確定する。
【０２１７】
任意選択で、前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである。
【０２１８】
任意選択で、前記第１の情報は、前記第１の参照ポイント及び前記第２の参照ポイントを示す。
【０２１９】
任意選択で、前記第１の情報が前記第１の参照ポイントを示し、前記第１の参照ポイントに基づいて、端末デバイスが、前記ネットワークデバイスが前記端末デバイスに対して行う帯域幅部分構成を確定し、構成された帯域幅部分に基づいて、第２の参照ポイントを確定し、前記第２の参照ポイントに基づいて、端末デバイスが、前記ネットワークデバイスが前記端末デバイスに対して行う周波数領域リソース割り当てを確定する。
【０２２０】
任意選択で、前記第２の参照ポイントは、構成された帯域幅部分の最も近い同期信号ブロックが占用する周波数ポイントである。
【０２２１】
任意選択で、前記第１の参照ポイントと前記第２の参照ポイントとは、同じ参照ポイントであり、又は、
前記第１の参照ポイントと前記第２の参照ポイントとは、異なる参照ポイントである。
【０２２２】
任意選択で、前記ネットワークデバイスが参照信号を送信する第３の参照ポイント、及び構成される帯域幅部分に基づいて、前記端末デバイスが前記帯域幅部分に対応する参照信号部分を確定することを含む。
【０２２３】
任意選択で、前記端末デバイスが前記ネットワークデバイスにより送信された情報を受信し、前記情報は、前記第３の参照ポイントを示す。前記情報は、システム放送メッセージ、ランダムアクセス応答メッセージ又はＲＲＣ専用シグナリングに搬送される。
【０２２４】
任意選択で、１つの前記参照ポイントは、複数の同期信号ブロックの１つの同期信号ブロックが占用する周波数ポイントである。
【０２２５】
任意選択で、構成される前記周波数領域リソース及び／又は帯域幅部分は、前記端末デバイスにページングメッセージを送信するために使用される。
【０２２６】
図９は本願の実施例における無線通信方法７００のフローチャートである。図９に示すように、当該方法７００は、７１０及び７２０を含む。
【０２２７】
７１０において、端末デバイスがネットワークデバイスにより送信された第１の情報を受信し、前記第１の情報は、前記ネットワークデバイスが参照信号を送信する参照ポイントを示す。
【０２２８】
７２０において、前記第１の情報に基づいて、前記端末デバイスが、前記ネットワークデバイスが参照信号を送信する参照ポイントを確定する。
【０２２９】
任意選択で、前記参照ポイント、及び前記端末デバイスに構成された帯域幅部分に基づいて、前記端末デバイスが前記帯域幅部分に対応する参照信号部分を確定する。
【０２３０】
任意選択で、前記第１の情報は、システム放送メッセージ、ランダムアクセス応答メッセージ又は無線リソース制御ＲＲＣ専用シグナリングに搬送される。
【０２３１】
任意選択で、前記参照ポイントは、複数の同期信号ブロックの１つの同期信号ブロックが占用する周波数ポイントである。
【０２３２】
方法２００-７００が別々に上述されているが、これは、方法２００-７００が独立していることを意味するのではなく、それぞれの方法の説明が相互に参照されてもよく、矛盾しない場合には、それぞれの方法の代替的な構成が組み合わせて使用されてもよく、例えば、方法２００の参照信号に関する説明が方法３００-７００に適用されてもよいことが理解されるべきである。簡潔にするために、本願の実施例は繰り返し述べない。
【０２３３】
図１０は本願の実施例におけるネットワークデバイス８００のブロック図である。図１０に示すように、当該ネットワークデバイス８００は、処理ユニット８１０及び通信ユニット８２０を含む。
【０２３４】
任意選択で、前記通信ユニット８２０は、端末デバイスにより送信された第１のメッセージを受信するように構成され、前記第１のメッセージは、前記端末デバイスが第１の同期信号ブロックを検出したことを示し、前記処理ユニット８１０は、前記第１の同期信号ブロックに基づいて、前記端末デバイスに対して周波数領域リソース割り当て及び／又は帯域幅部分構成を行うように構成される。
【０２３５】
任意選択で、前記通信ユニット８２０は、第１の情報を送信するように構成され、前記第１の情報は、前記ネットワークデバイスが端末デバイスに対して周波数領域リソース割り当て及び／又は帯域幅部分構成を行う参照ポイントを示し、前記処理ユニット８１０は、前記参照ポイントに基づいて、端末デバイスに対して周波数領域リソース割り当て及び／又は帯域幅部分構成を行うように構成される。
【０２３６】
任意選択で、前記処理ユニット８１０は、前記ネットワークデバイスが第１の端末デバイスに参照信号を送信する第１の参照ポイントを確定するように構成され、前記通信ユニット８２０は、第１の情報を送信するように構成され、前記第１の情報は、前記ネットワークデバイスが第１の端末デバイスに参照信号を送信する第１の参照ポイントを示し、前記第１の参照ポイントに従って、前記第１の端末デバイスに前記参照信号を送信するように構成される。
【０２３７】
このネットワークデバイス８００は、方法の実施例におけるネットワークデバイスに対応することができ、実施例の任意の代替的な方式におけるネットワークデバイスにより実施される機能を実施することができることを理解すべきであり、簡潔のためにここでは詳しい説明を省略する。
【０２３８】
図１１は本願の実施例における端末デバイス９００のブロック図である。図１１に示すように、当該端末デバイス９００は、通信ユニット９１０及び処理ユニット９２０を備える。
【０２３９】
前記通信ユニット９１０は、ネットワークデバイスに第１のメッセージを送信するように構成され、前記第１のメッセージは、前記端末デバイスが第１の同期信号ブロックを検出したことを示す。
【０２４０】
前記処理ユニット９２０は、前記第１の同期信号ブロックに基づいて、前記ネットワークデバイスが前記端末デバイスに対して行う周波数領域リソース割り当て及び／又は帯域幅部分構成を確定するように構成される。
【０２４１】
任意選択で、前記通信ユニット９１０は、ネットワークデバイスにより送信された第１の情報を受信するように構成され、前記第１の情報は、前記ネットワークデバイスが参照信号を送信する参照ポイントを示し、前記処理ユニット９２０は、前記第１の情報に基づいて、前記ネットワークデバイスが参照信号を送信する参照ポイントを確定するように構成される。
【０２４２】
任意選択で、前記通信ユニット９１０は、ネットワークデバイスにより送信された第１の情報を受信するように構成され、前記第１の情報は、前記ネットワークデバイスが前記端末デバイスに対して周波数領域リソース割り当て及び/又は帯域幅部分構成を行う参照ポイントを示し、前記処理ユニット９２０は、前記参照ポイントに従って、前記ネットワークデバイスが前記端末デバイスに対して周波数領域リソース割り当て及び/又は帯域幅部分構成を行う参照ポイントを確定するように構成される。
【０２４３】
この端末デバイス９００は、方法の実施例における端末デバイスに対応することができ、実施例の任意の代替案における端末デバイスによって実施される機能を実施することができることを理解すべきであり、簡潔のためにここではその説明を省略する。
【０２４４】
図１２は、本実施例のシステムチップ１０００の概略構成図である。図１２のシステムチップ１０００は、入力インターフェース１００１、出力インターフェース１００２、メモリ６０４内のコードを実行するプロセッサ１００３、及びメモリ１００４を含み、これらの間を内部通信接続線によって接続することができる。
【０２４５】
任意選択で、コードが実行されると、プロセッサ１００３は、方法の実施例においてネットワークデバイスによって実行される方法を実施する。簡潔にするために、ここでは繰り返し説明しない。
【０２４６】
任意選択で、コードが実行されると、プロセッサ１００３は、方法の実施例において端末デバイスによって実行される方法を実施する。簡潔にするために、ここでは繰り返し説明しない。
【０２４７】
図１３は、本発明の実施例による通信デバイス１１００の概略ブロック図である。図１３に示すように、通信デバイス１１００は、プロセッサ１１１０とメモリ１１２０とを有する。ここで、メモリ１１２０はプログラムコードを記憶してもよく、プロセッサ１１１０はメモリ１１２０に記憶されたプログラムコードを実行してもよい。
【０２４８】
任意選択で、図１３に示すように、通信デバイス１１００は、プロセッサ１１１０が外部と通信するように制御することができる送受信機１１３０を含んでもよい。
【０２４９】
任意選択で、プロセッサ１１１０は、メモリ１１２０に記憶されたプログラムコードを呼び出し、方法の実施例における主サービスノードの対応する動作を実行してもよく、簡潔にするためにここでは詳しい説明を省略する。
【０２５０】
任意選択で、プロセッサ１１１０は、メモリ１１２０に格納されたプログラムコードを呼び出して、方法の実施例における端末デバイスの対応する動作を実行してもよく、簡潔にするために、ここでは詳しい説明を省略する。
【０２５１】
本願の実施例におけるプロセッサは集積回路チップである可能性があり、信号処理能力を備えている。実現過程において、上記方法の実施例における各ステップは、プロセッサにおけるハードウェアの集積論理回路、又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであっても良い。本発明の実施例における開示された各方法、ステップ及び論理ブロック図を実現、又は実行することができる。汎用プロセッサはマイクロプロセッサであっても良く、又は該プロセッサはいずれかの通常のプロセッサなどであっても良い。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【０２５２】
本発明の実施例におけるメモリは揮発性記憶装置又は不揮発性記憶装置であっても良く、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであっても良い。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であっても良い。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきこととして、本明細書に記載のシステムと方法のメモリは、これら、及びいずれかの他の適切なタイプのメモリを含むことを主旨しているが、これらに限定されない。
【０２５３】
本願の実施例は、コンピュータが前記コンピュータ・プログラム製品のフィンガを実行するときに、上述の方法の実施例の帯域幅を設定する方法を実行する命令を備えるコンピュータ・プログラム製品をさらに提供する。具体的には、コンピュータプログラム製品は、上記のネットワークデバイス及び端末デバイス上で動作し得る。
【０２５４】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本願の範囲から逸脱するものと考えられるべきではない。
【０２５５】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０２５６】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０２５７】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０２５８】
また、本発明の各実施例における各機能部は、１つの処理部に集積されてもよいし、各部は、物理的に別個に存在してもよいし、２つ以上の部が１つの部に集積されてもよい。
【０２５９】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、U字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０２６０】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2020524939.tif 000003
【図２】
2020524939.tif 000004
【図３】
2020524939.tif 000005
【図４】
2020524939.tif 000006
【図５】
2020524939.tif 000007
【図６】
2020524939.tif 000008
【図７】
2020524939.tif 000009
【図８】
2020524939.tif 000010
【図９】
2020524939.tif 000011
【図１０】
2020524939.tif 000012
【図１１】
2020524939.tif 000013
【図１２】
2020524939.tif 000014
【図１３】
2020524939.tif 000015
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
ネットワークデバイスが端末デバイスにより送信された第１のメッセージを受信することと、
第１の同期信号ブロックに基づいて、前記ネットワークデバイスが前記端末デバイスに対して周波数領域リソース割り当て及び／又は帯域幅部分構成を行うこととを含み、
前記第１のメッセージは、前記端末デバイスが前記第１の同期信号ブロックを検出したことを指示する
ことを特徴とする無線通信方法。
【請求項２】
前記第１の同期信号ブロックに基づいて、前記ネットワークデバイスが前記端末デバイスに対して周波数領域リソース割り当て及び／又は帯域幅部分構成を行うことは、
前記第１の同期信号ブロックが占用する周波数ポイントに基づいて、前記ネットワークデバイスが前記端末デバイスに対して周波数領域リソース割り当て及び／又は帯域幅部分構成を行うことを含む
ことを特徴とする請求項１に記載の無線通信方法。
【請求項３】
前記第１の同期信号ブロックが占用する周波数ポイントに基づいて、前記ネットワークデバイスが前記端末デバイスに対して周波数領域リソース割り当て及び／又は帯域幅部分構成を行うことは、
前記第１の同期信号ブロックが占用する周波数ポイントに基づいて、参照ポイントを確定することと、
前記参照ポイントに従って、前記ネットワークデバイスが前記端末デバイスに対して周波数領域リソース割り当て及び／又は帯域幅部分構成を行うこととを含む
ことを特徴とする請求項２に記載の無線通信方法。
【請求項４】
前記方法は、さらに、
前記ネットワークデバイスが前記端末デバイスに第１の情報を送信することを含み、
前記第１の情報は、前記ネットワークデバイスが前記端末デバイスに対して周波数領域リソース割り当て及び／又は帯域幅部分構成を行う参照ポイントを示す
ことを特徴とする請求項３に記載の無線通信方法。
【請求項５】
前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである
ことを特徴とする請求項３に記載の無線通信方法。
【請求項６】
前記参照ポイントに従って、前記ネットワークデバイスが前記端末デバイスに対して周波数領域リソース割り当て及び／又は帯域幅部分構成を行うことは、
前記ネットワークデバイスが前記端末デバイスに第３の情報を送信することを含み、
前記第３の情報は、割り当てるリソースサイズ及び／又は前記参照ポイントに対するオフセット、及び／又は、構成される帯域幅部分の数及び／又は前記参照ポイントに対するオフセットを示す
ことを特徴とする請求項３〜５のいずれか１項に記載の無線通信方法。
【請求項７】
前記構成される帯域幅部分が前記参照ポイントに対するオフセットは、
前記構成される帯域幅部分の上周波数ポイントが前記参照ポイントに対するオフセットであり、
又は、
前記構成される帯域幅部分の中心周波数ポイントが前記参照ポイントに対するオフセットであり、
又は、
前記構成される帯域幅部分の下周波数ポイントが前記参照ポイントに対するオフセットである
ことを特徴とする請求項６項に記載の無線通信方法。
【請求項８】
端末デバイスがネットワークデバイスに第１のメッセージを送信することと、
第１の同期信号ブロックに基づいて、前記端末デバイスが、前記ネットワークデバイスが前記端末デバイスに対して行う周波数領域リソース割り当て及び／又は帯域幅部分構成を確定することとを含み、
前記第１のメッセージは、前記端末デバイスが前記第１の同期信号ブロックを検出したことを示す
ことを特徴とする無線通信方法。
【請求項９】
前記第１の同期信号ブロックに基づいて、前記端末デバイスが、前記ネットワークデバイスが前記端末デバイスに対して行う周波数領域リソース割り当て及び／又は帯域幅部分構成を確定することは、
前記第１の同期信号ブロックが占用する周波数ポイントに基づいて、前記端末デバイスが、前記ネットワークデバイスが前記端末デバイスに対して行う周波数領域リソース割り当て及び／又は帯域幅部分構成を確定することを含む
ことを特徴とする請求項８に記載の無線通信方法。
【請求項１０】
前記第１の同期信号ブロックが占用する周波数ポイントに基づいて、前記端末デバイスが、前記ネットワークデバイスが前記端末デバイスに対して行う周波数領域リソース割り当て及び／又は帯域幅部分構成を確定することは、
前記第１の同期信号ブロックが占用する周波数ポイントに基づいて、前記ネットワークデバイスが前記端末デバイスに対して行う周波数領域リソース割り当て及び／又は帯域幅部分構成の参照ポイントを確定することと、
前記参照ポイントに基づいて、前記端末デバイスが、前記ネットワークデバイスが前記端末デバイスに対して行う周波数領域リソース割り当て及び／又は帯域幅部分構成を確定することとを含む
ことを特徴とする請求項９に記載の無線通信方法。
【請求項１１】
前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである
ことを特徴とする請求項１０に記載の無線通信方法。
【請求項１２】
前記方法は、さらに、
前記ネットワークデバイスが前記端末デバイスにより送信された第１の情報を受信することを含み、
前記第１の情報は、割り当てるリソースサイズ及び／又は前記参照ポイントに対するオフセット、及び／又は、構成される帯域幅部分の数及び／又は前記参照ポイントに対するオフセットを示し、
前記参照ポイントに基づいて、前記端末デバイスが、前記ネットワークデバイスが前記端末デバイスに対して行う周波数領域リソース割り当て及び／又は帯域幅部分構成を確定することは、
前記第１の情報、及び前記参照ポイントに基づいて、前記端末デバイスが、前記ネットワークデバイスが前記端末デバイスに対して行う周波数領域リソース割り当て及び／又は帯域幅部分構成を確定することを含む
ことを特徴とする請求項１０〜１１のいずれか１項に記載の無線通信方法。
【請求項１３】
ネットワークデバイスが第１の情報を送信することと、
参照ポイントに従って、前記ネットワークデバイスが端末デバイスに対して周波数領域リソース割り当て及び／又は帯域幅部分構成を行うこととを含み
前記第１の情報は、前記ネットワークデバイスが端末デバイスに対して周波数領域リソース割り当て及び／又は帯域幅部分構成を行う前記参照ポイントを示す
ことを特徴とする無線通信方法。
【請求項１４】
前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである
ことを特徴とする請求項１３に記載の無線通信方法。
【請求項１５】
前記第１の情報が第１の参照ポイントを示し、
前記参照ポイントに従って、前記ネットワークデバイスが前記端末デバイスに対して周波数領域リソース割り当て及び／又は帯域幅部分構成を行うことは、
前記第１の参照ポイントに基づいて、帯域幅部分構成を行うことと、
構成された帯域幅部分に基づいて、第２の参照ポイントを確定することと、
前記第２の参照ポイントに従って、周波数領域リソース割り当てを行うこととを含む
ことを特徴とする請求項１４に記載の無線通信方法。
【請求項１６】
前記第１の参照ポイントと前記第２の参照ポイントとは、同じ参照ポイントであり、又は、
前記第１の参照ポイントと前記第２の参照ポイントとは、異なる参照ポイントである
ことを特徴とする請求項１４〜１５のいずれか１項に記載の無線通信方法。
【請求項１７】
端末デバイスがネットワークデバイスにより送信された第１の情報を受信することと、
参照ポイントに従って、前記端末デバイスが、前記ネットワークデバイスが前記端末デバイスに対して周波数領域リソース割り当て及び/又は帯域幅部分構成を行う参照ポイントを確定することとを含み、
前記第１の情報は、前記ネットワークデバイスが前記端末デバイスに対して周波数領域リソース割り当て及び/又は帯域幅部分構成を行う前記参照ポイントを示す
ことを特徴とする無線通信方法。
【請求項１８】
前記ネットワークデバイスが前記端末デバイスに対して帯域幅部分構成を行う参照ポイントは、第１の参照ポイントであり、前記ネットワークデバイスが前記端末デバイスに対して周波数領域リソース割り当てを行う参照ポイントは、第２の参照ポイントである
ことを特徴とする請求項１７に記載の無線通信方法。
【請求項１９】
前記第１の情報が前記第１の参照ポイントを示し、
前記参照ポイントに従って、前記端末デバイスが、前記ネットワークデバイスが前記端末デバイスに対して行う周波数領域リソース割り当て及び/又は帯域幅部分構成の参照ポイントを確定することは、
前記第１の参照ポイントに基づいて、前記ネットワークデバイスが前記端末デバイスに対して行う帯域幅部分構成を確定することと、
構成された帯域幅部分に基づいて、第２の参照ポイントを確定することと、
前記第２の参照ポイントに従って、前記ネットワークデバイスが前記端末デバイスに対して行う周波数領域リソース割り当てを確定することとを含む
ことを特徴とする請求項１８に記載の無線通信方法。
【請求項２０】
前記第１の参照ポイントと前記第２の参照ポイントとは、同じ参照ポイントであり、又は、
前記第１の参照ポイントと前記第２の参照ポイントとは、異なる参照ポイントである
ことを特徴とする請求項１８〜１９のいずれか１項に記載の無線通信方法。
【請求項２１】
ネットワークデバイスが第１の情報を送信することと、
第１の参照ポイントに従って、前記ネットワークデバイスが第１の端末デバイスに参照信号を送信することとを含み、
前記第１の情報は、前記ネットワークデバイスが前記第１の端末デバイスに前記参照信号を送信する前記第１の参照ポイントを示す
ことを特徴とする無線通信方法。
【請求項２２】
前記第１の情報は、システム放送メッセージに搬送され、
前記第１の端末デバイスは、前記ネットワークデバイスのカバレージエリア内の端末デバイスを含む
ことを特徴とする請求項２１に記載の無線通信方法。
【請求項２３】
前記第１のメッセージは、ランダムアクセス応答メッセージ又は無線リソース制御ＲＲＣ専用シグナリングに搬送される
ことを特徴とする請求項２１に記載の無線通信方法。
【請求項２４】
前記方法は、さらに、
前記ネットワークデバイスが第２の端末デバイスに第２の情報を送信することと、
第２の参照ポイントに従って、前記ネットワークデバイスが前記第２の端末デバイスに参照信号を送信することとを含み、
前記第２の情報は、前記ネットワークデバイスが第１の端末デバイスに前記参照信号を送信する前記第２の参照ポイントを示す
ことを特徴とする請求項２３に記載の無線通信方法。
【請求項２５】
前記第１の参照ポイントと前記第２の参照ポイントとが同じであり、又は、
前記第１の参照ポイントと前記第２の参照ポイントとが異なる
ことを特徴とする請求項２４に記載の無線通信方法。
【請求項２６】
端末デバイスがネットワークデバイスにより送信された第１の情報を受信することと、
前記第１の情報に基づいて、前記端末デバイスが、前記ネットワークデバイスが参照信号を送信する参照ポイントを確定することとを含み、
前記第１の情報は、前記ネットワークデバイスが前記参照信号を送信する前記参照ポイントを示す
ことを特徴とする無線通信方法。
【請求項２７】
前記方法は、さらに、
前記参照ポイント、及び前記端末デバイスに構成された帯域幅部分に基づいて、前記端末デバイスが前記帯域幅部分に対応する参照信号部分を確定することを含む
ことを特徴とする請求項２６に記載の無線通信方法。
【請求項２８】
前記第１の情報は、システム放送メッセージ、ランダムアクセス応答メッセージ又は無線リソース制御ＲＲＣ専用シグナリングに搬送される
ことを特徴とする請求項２６又は２７に記載の無線通信方法。
【国際調査報告】
2020524939.tif 000016
2020524939.tif 000017
2020524939.tif 000018
2020524939.tif 000019
2020524939.tif 000020
2020524939.tif 000021